(57)【特許請求の範囲】
【請求項１】
アクセス端末において指定された周波数上で信号を受信することと、
前記受信した信号に基づいて、ＨＮＢ専用のセルのリスト中に存在するセルのみを含む第１の仮想アクティブセットを維持することと、前記第１の仮想アクティブセットは、複数のセルを含む、
前記指定された周波数上で他の信号を受信することと、
前記受信した他の信号に基づいて少なくとも１つの他のセルに関する第２の仮想アクティブセットを維持する、ここにおいて、前記第２の仮想アクティブセットは、非ＨＮＢ専用のセルのリスト中に存在するセルのみを含むことと、
前記複数のセルの第１のセルを前記第１の仮想アクティブセットのベストセルとして選択することと、
前記第１のセルの代わりに前記複数のセルの第２のセルを選択することによって前記第１の仮想アクティブセットの前記ベストセルを変更することと、
前記ベストセルの前記変更に基づいて周波数間イベント報告のためのトリガ時間パラメータをリセットすることと、
前記第１の仮想アクティブセットおよび前記第２の仮想アクティブセットのセルを測定して別々の品質推定値を計算することと、
前記品質推定値の指定された条件が満たされた場合、モビリティイベントをトリガすることと、前記仮想アクティブセットのいずれか１つを使用してハンドオーバすること
を備える通信の方法。
【請求項２】
前記ＨＮＢ専用のセルのリスト中に存在する前記セルが、限定加入者グループセルと、ハイブリッドセルと、オープンホームノードＢとからなるグループのうちの少なくとも１つを備える、請求項１に記載の方法。
【請求項３】
前記ＨＮＢ専用のセルのリストを構成するためのメッセージを受信することをさらに備え、前記メッセージは、どのセルが前記第１の仮想アクティブセット中に含まれることを許されているかを指定する、請求項１に記載の方法。
【請求項４】
前記第１の仮想アクティブセットの前記ベストセルのみに基づいて前記周波数間イベント報告のための周波数品質推定値を計算することをさらに備える、請求項１に記載の方法。
【請求項５】
前記周波数間イベント報告のためにセル測定に重み付けを適用するための重みパラメータが定義され、前記方法は、前記第１の仮想アクティブセット中に存在する前記ベストセルのみが前記周波数間イベント報告のために使用されるように定義された値に前記重みパラメータを設定することをさらに備える、請求項１に記載の方法。
【請求項６】
前記定義された値が０の値を備える、請求項５に記載の方法。
【請求項７】
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、請求項５に記載の方法。
【請求項８】
前記定義された量が３ＧＰＰイベント１ｃのためのヒステリシスパラメータを備え、
前記定義された時間期間が３ＧＰＰイベント１ｃのためのトリガ時間パラメータを備える、請求項７に記載の方法。
【請求項９】
前記周波数間イベント報告のためにセル測定に重み付けを適用するための重みパラメータが定義され、前記方法は、前記第１の仮想アクティブセット中に存在する２つ以上のセルが前記周波数間イベント報告のために使用されるように定義された値に前記重みパラメータを設定することをさらに備える、請求項１に記載の方法。
【請求項１０】
前記定義された値が０でない値を備える、請求項９に記載の方法。
【請求項１１】
前記重みパラメータが、ソフトハンドオーバ動作をサポートするために前記定義された値に設定される、請求項９に記載の方法。
【請求項１２】
指定された周波数上で信号を受信するように動作可能な受信機と、
前記受信した信号に基づいて、ＨＮＢ専用のセルのリスト中に存在するセルのみを含む第１の仮想アクティブセットを維持するように動作可能なコントローラであって、前記第１の仮想アクティブセットは、複数のセルを含む、
前記コントローラが、前記第１の仮想アクティブセットのベストセルとして前記複数のセルの第１のセルを選択するようにさらに動作可能であり、
前記コントローラが、前記第１のセルの代わりに前記複数のセルの第２のセルを選択することによって、前記第１の仮想アクティブセットの前記ベストセルを変更するようにさらに動作可能であり、
前記コントローラが、前記ベストセルの前記変更に基づいて、周波数間イベント報告のためのトリガ時間パラメータをリセットするようにさらに動作可能であり、
前記受信機が、前記指定された周波数上で他の信号を受信するようにさらに動作可能であり、
前記コントローラが、前記受信した他の信号に基づいて少なくとも１つの他のセルに関する第２の仮想アクティブセットを維持するようにさらに動作可能であり、ここにおいて、前記第２の仮想アクティブセットが、非ＨＮＢ専用のセルのリスト中に存在するセルのみを含む、を備え、および
前記第１の仮想アクティブセットおよび前記第２の仮想アクティブセットのセルを測定して別々の品質推定値を計算し、
前記品質推定値の指定された条件が満たされた場合、モビリティイベントがトリガされ、前記仮想アクティブセットのいずれか１つを使用してハンドオーバするように動作可能な
通信のための装置。
【請求項１３】
前記ＨＮＢ専用のセルのリスト中に存在する前記セルが、限定加入者グループセルと、ハイブリッドセルと、オープンホームノードＢとからなるグループのうちの少なくとも１つを備える、請求項１２に記載の装置。
【請求項１４】
前記受信機が、前記ＨＮＢ専用のセルのリストを構成するためのメッセージを受信するようにさらに動作可能であり、前記メッセージは、どのセルが前記第１の仮想アクティブセット中に含まれることを許されているかを指定する、請求項１２に記載の装置。
【請求項１５】
前記コントローラが、前記第１の仮想アクティブセットの前記ベストセルのみに基づいて前記周波数間イベント報告のための周波数品質推定値を計算するようにさらに動作可能である、請求項１２に記載の装置。
【請求項１６】
前記周波数間イベント報告のためにセル測定に重み付けを適用するための重みパラメータが定義され、
前記コントローラは、前記第１の仮想アクティブセット中に存在する前記ベストセルのみが前記周波数間イベント報告のために使用されるように定義された値に前記重みパラメータを設定するようにさらに動作可能である、請求項１２に記載の装置。
【請求項１７】
前記定義された値が０の値を備える、請求項１６に記載の装置。
【請求項１８】
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、請求項１６に記載の装置。
【請求項１９】
前記定義された量が３ＧＰＰイベント１ｃのためのヒステリシスパラメータを備え、
前記定義された時間期間が３ＧＰＰイベント１ｃのためのトリガ時間パラメータを備える、請求項１８に記載の装置。
【請求項２０】
前記周波数間イベント報告のためにセル測定に重み付けを適用するための重みパラメータが定義され、
前記コントローラは、前記第１の仮想アクティブセット中に存在する２つ以上のセルが前記周波数間イベント報告のために使用されるように定義された値に前記重みパラメータを設定するようにさらに動作可能である、請求項１２に記載の装置。
【請求項２１】
前記定義された値が０でない値を備える、請求項２０に記載の装置。
【請求項２２】
前記重みパラメータが、ソフトハンドオーバ動作をサポートするために前記定義された値に設定される、請求項２０に記載の装置。
【請求項２３】
指定された周波数上で信号を受信するための手段と、
前記受信した信号に基づいて、ＨＮＢ専用のセルのリスト中に存在するセルのみを含む第１の仮想アクティブセットを維持するための手段、ここにおいて、前記第１の仮想アクティブセットは、複数のセルを含む、と、
前記複数のセルの第１のセルを前記第１の仮想アクティブセットのベストセルとして選択する手段と、
前記第１のセルの代わりに前記複数のセルの第２のセルを選択することによって、前記第１の仮想アクティブセットの前記ベストセルを変更する手段と、
前記ベストセルの前記変更に基づいて、周波数間イベント報告のためのトリガ時間パラメータをリセットするための手段と、
前記指定された周波数上で他の信号を受信するための手段と、
前記受信した他の信号に基づいて少なくとも１つの他のセルに関する第２の仮想アクティブセットを維持する手段、ここにおいて、前記第２の仮想アクティブセットは、非ＨＮＢ専用のセルのリスト中に存在するセルのみを含む、と、
前記第１の仮想アクティブセットおよび前記第２の仮想アクティブセットのセルを測定して別々の品質推定値を計算し、
前記品質推定値の指定された条件が満たされた場合、モビリティイベントがトリガされ、前記仮想アクティブセットのいずれか１つを使用してハンドオーバする手段と
を備える、通信のための装置。
【請求項２４】
前記ＨＮＢ専用のセルのリスト中に存在する前記セルが、限定加入者グループセルと、ハイブリッドセルと、オープンホームノードＢとからなるグループのうちの少なくとも１つを備える、請求項２３に記載の装置。
【請求項２５】
前記ＨＮＢ専用のセルのリストを構成するためのメッセージを受信するための手段をさらに備え、前記メッセージは、どのセルが前記第１の仮想アクティブセット中に含まれることを許されているかを指定する、請求項２３に記載の装置。
【請求項２６】
前記周波数間イベント報告のためにセル測定に重み付けを適用するための重みパラメータが定義され、前記装置は、前記第１の仮想アクティブセット中に存在する前記ベストセルのみが前記周波数間イベント報告のために使用されるように定義された値に前記重みパラメータを設定するための手段をさらに備える、請求項２３に記載の装置。
【請求項２７】
前記定義された値が０の値を備える、請求項２６に記載の装置。
【請求項２８】
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、請求項２６に記載の装置。
【請求項２９】
前記定義された量が３ＧＰＰイベント１ｃのためのヒステリシスパラメータを備え、
前記定義された時間期間が３ＧＰＰイベント１ｃのためのトリガ時間パラメータを備える、請求項２８に記載の装置。
【請求項３０】
アクセス端末において指定された周波数上で信号を受信することと、
前記受信した信号に基づいて、ＨＮＢ専用のセルのリスト中に存在するセルのみを含む第１の仮想アクティブセットを維持することと、
前記第１の仮想アクティブセットのベストセルとして、複数のセルの第１のセルを選択することと、
前記第１のセルの代わりに前記複数のセルの第２のセルを選択することによって前記第１の仮想アクティブセットの前記ベストセルを変更することと、
前記ベストセルの前記変更に基づいて、周波数間イベント報告のためのトリガ時間パラメータをリセットすることと、
前記指定された周波数上で他の信号を受信することと、
前記受信した他の信号に基づいて少なくとも１つの他のセルに関する第２の仮想アクティブセットを維持する、ここにおいて、前記第２の仮想アクティブセットは、非ＨＮＢ専用のセルのリスト中に存在するセルのみを含むことと、
前記第１の仮想アクティブセットおよび前記第２の仮想アクティブセットのセルを測定して別々の品質推定値を計算し、
前記品質推定値の指定された条件が満たされた場合、モビリティイベントがトリガされ、前記仮想アクティブセットのいずれか１つを使用してハンドオーバすること
をコンピュータに行わせるためのコードを備えるコンピュータ読み取り可能な記録媒体。
【請求項３１】
ＨＮＢ専用のセルのリスト中に存在する前記セルが、限定加入者グループセルと、ハイブリッドセルと、オープンホームノードＢとからなるグループのうちの少なくとも１つを備える、請求項３０に記載のコードを備えるコンピュータ読み取り可能な記録媒体。
【請求項３２】
前記コンピュータ読み取り可能な記録媒体が、前記ＨＮＢ専用のセルのリストを構成するためのメッセージを受信することを前記コンピュータに行わせるためのコードをさらに備え、前記メッセージは、どのセルが前記第１の仮想アクティブセット中に含まれることを許されているかを指定する、請求項３０に記載のコードを備えるコンピュータ読み取り可能な記録媒体。
【請求項３３】
前記周波数間イベント報告のためにセル測定に重み付けを適用するための重みパラメータが定義され、
前記コンピュータ読み取り可能な記録媒体は、前記第１の仮想アクティブセット中に前記ベストセルのみが前記周波数間イベント報告のために使用されるように定義された値に前記重みパラメータを設定することを前記コンピュータに行わせるためのコードをさらに備える、請求項３０に記載のコードを備えるコンピュータ読み取り可能な記録媒体。
【請求項３４】
前記定義された値が０の値を備える、請求項３３に記載のコードを備えるコンピュータ読み取り可能な記録媒体。
【請求項３５】
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、請求項３３に記載のコードを備えるコンピュータ読み取り可能な記録媒体。
【請求項３６】
前記定義された量が３ＧＰＰイベント１ｃのためのヒステリシスパラメータを備え、
前記定義された時間期間が３ＧＰＰイベント１ｃのためのトリガ時間パラメータを備える、請求項３５に記載のコードを備えるコンピュータ読み取り可能な記録媒体。
【請求項３７】
前記トリガ時間パラメータをリセットすることは、対応するタイマーをもう一度開始する、請求項１に記載の方法。
【請求項３８】
前記トリガ時間パラメータをリセットすることは、対応するタイマーをもう一度開始する、請求項１２に記載の装置。
【請求項３９】
前記トリガ時間パラメータをリセットすることは、対応するタイマーをもう一度開始する、請求項２３に記載の装置。
【請求項４０】
前記トリガ時間パラメータをリセットすることは、対応するタイマーをもう一度開始する、請求項３０に記載のコンピュータ読み取り可能な記録媒体。
【請求項４１】
前記ＣＥＬＬ＿ＩＮＦＯ＿ＣＳＧ＿ＬＩＳＴ中に存在するセルは、ハイブリッドセルと、オープンホームノードＢとからなるグループのうちの少なくとも１つを備える、請求項１に記載の方法。
【請求項４２】
前記ＣＥＬＬ＿ＩＮＦＯ＿ＣＳＧ＿ＬＩＳＴ中に存在するセルは、ハイブリッドセルと、オープンホームノードＢとからなるグループのうちの少なくとも１つを備える、請求項１２に記載の装置。
【請求項４３】
前記ＣＥＬＬ＿ＩＮＦＯ＿ＣＳＧ＿ＬＩＳＴ中に存在するセルは、ハイブリッドセルと、オープンホームノードＢとからなるグループのうちの少なくとも１つを備える、請求項２３に記載の装置。
【請求項４４】
ＣＥＬＬ＿ＩＮＦＯ＿ＣＳＧ＿ＬＩＳＴ中に存在するセルは、ハイブリッドセルと、オープンホームノードＢとからなるグループのうちの少なくとも１つを備える、請求項３０に記載のコンピュータ読み取り可能な記録媒体。
【発明の詳細な説明】
【技術分野】
【０００１】
［優先権の主張］
本出願は、各々の開示が参照により本明細書に組み込まれ、同一出願人が所有する、２０１０年３月２９日に出願され、代理人整理番号第１０１４７５Ｐ１号を付与された、米国仮特許出願第６１／３１８，６８７号、および２０１０年６月８日に出願され、代理人整理番号第１０２１２９Ｐ１号を付与された、米国仮特許出願第６１／３５２，７３９号の利益および優先権を主張する。
【背景技術】
【０００２】
［分野］
本出願は、一般にワイヤレス通信に関し、より詳細には、限定はしないが、仮想アクティブセット(virtual active set)を維持することに関する。
【０００３】
［序論］
ワイヤレス通信ネットワークは、画定された地理的エリア内のユーザに様々なタイプのサービス（たとえば、ボイス、データ、マルチメディアサービスなど）を提供するために、その地理的エリアにわたって展開され得る。典型的な実装形態では、ネットワークによってサービスされる地理的エリア内で動作しているアクセス端末（たとえば、セルフォン）にワイヤレス接続性を与えるために、（たとえば、様々なセルに対応する）アクセスポイントがネットワーク全体にわたって分散される。
【０００４】
一般に、所与の時点において、アクセス端末は、１つまたは複数のセルの所与のセットによってサービスされることになる。経時的に、アクセス端末から見た信号品質は変化し得、それにより、アクセス端末は、１つまたは複数のセルの異なるセットによってより良くサービスされ得る。そのような場合、アクセス端末のモビリティを維持するために、アクセス端末はそれのサービングセルセット(serving cell set)から他のセルセットにハンドオーバされ得る。
【０００５】
このモビリティを容易にするために、ネットワークは、現在のサービング周波数上でおよび他の周波数上でセルからの信号（たとえば、ビーコン／パイロット信号）を測定するようにアクセス端末に命令し得る。次いで、ネットワークは、測定された信号の信号品質を使用して、アクセス端末がそれの現在のサービングセルセット上にとどまるべきであるのか、または別のセルセットに切り替えるべきであるのかを判断する。これらの測定は、周期的であるかまたはイベントトリガされ得る。後者の場合の一例として、ネットワークは、１つまたは複数のパラメータ（たとえば、しきい値）を用いてアクセス端末を構成し得、測定された信号品質が（１つまたは複数の）パラメータによって指定された基準を満たす（たとえば、信号品質がしきい値を超える）ときはいつでも測定報告を送るようにアクセス端末に命令し得る。
【０００６】
いくつかの実装形態では、ネットワークはアクセス端末のソフトハンドオーバをサポートし得る。そのような場合、アクセス端末は、サービング周波数上で複数のセルとの同時接続（たとえば、無線リンク）を維持する。アクセス端末がそれとのこれらの接続を維持するセルはアクティブセットと呼ばれる。
【０００７】
上述のように、サービング周波数に加えて、アクセス端末にとって利用可能であり得る他の周波数がある。したがって、アクセス端末は、これらの他の周波数に対応する他のアクティブセットを維持し得る。これらのアクティブセットの各々は「仮想」アクティブセット（ＶＡＳ）と呼ばれ、なぜなら、アクセス端末は、概して、ＶＡＳに記載されているセルとの接続をアクティブに維持しないからである。むしろ、特定の周波数、たとえば、周波数ｊ上のＶＡＳは、概して、アクセス端末が周波数ｊにキャンプオン(camped on)されるならば使用されることが予想されるアクティブセットであると理解される。これらの他の周波数のうちの所与の１つのために単一のＶＡＳが定義される。
【０００８】
アクセス端末をそれの現在のサービング周波数上に残すべきであるのか、またはアクセス端末を他の周波数のうちの１つにハンドオーバすべきであるのかを判断するために、ＶＡＳはアクティブセットと併せて使用される。たとえば、アクセス端末は、アクティブセットと各ＶＡＳとに記載されているセルからのいくつかの信号量（たとえば、Ｅｃ／Ｉｏ）を測定し、測定された信号量の平均に基づいて各周波数についての対応する品質推定値を生成し得る。周波数品質推定値の得られたセットから、どの周波数がアクセス端末に最良のサービスを与えることになるかに関する判断が行われ得る。ＶＡＳの一例は３ＧＰＰ文書ＴＳ２５．３３１においてセクション１４．１１に記載されている。
【０００９】
高速なマルチメディアデータサービスの需要が急速に増大するにつれて、向上したパフォーマンスをもつ効率的でロバストな通信システムを実装することが課題となっている。従来のネットワークアクセスポイント（たとえば、マクロアクセスポイント）を補うために、小カバレージアクセスポイントを展開（たとえば、自宅または仕事場に設置）して、よりロバストな屋内ワイヤレスカバレージまたは他のカバレージをアクセス端末に与え得る。そのような小カバレージアクセスポイントは、たとえば、フェムトアクセスポイント(femto access point)、フェムトセル、ホームノードＢ（ＨＮＢ）、ホームｅノードＢ（ＨｅＮＢ）、またはアクセスポイント基地局と呼ばれることがある。一般に、そのような小カバレージアクセスポイントは、ＤＳＬルータ(digital subscriber line router)またはケーブルモデムを介してインターネットおよびモバイル事業者のネットワークに接続される。便宜上、以下の説明では、小カバレージアクセスポイントをＨＮＢ（またはＨＮＢセル）と総称することがある。
【００１０】
ＨＮＢなどのアクセスポイントは、異なるタイプのアクセスモードをサポートするように構成され得る。たとえば、オープンアクセスモードでは、アクセスポイントは、どのアクセス端末もアクセスポイントを介していかなるタイプのサービスをも取得することを可能にし得る。しかしながら、制限付き（または限定）アクセスモードでは、アクセスポイントは、許可されたアクセス端末がアクセスポイントを介してサービスを取得することのみを可能にし得る。たとえば、アクセスポイントは、一定の加入者グループ（たとえば、限定加入者グループ（ＣＳＧ;closed subscriber group））に属するアクセス端末（たとえば、いわゆるホームアクセス端末）がアクセスポイントを介してサービスを取得することのみを可能にし得る。ハイブリッドアクセスモードでは、エイリアンアクセス端末(alien access terminal)（たとえば、非ホームアクセス端末、非ＣＳＧアクセス端末）は、いくつかの条件下でアクセスポイントを介してアクセスを取得することのみが可能であり得る。たとえば、ＨＮＢのＣＳＧに属さないマクロアクセス端末は、ＨＮＢがホームアクセス端末を現在サービスしていない場合のみＨＮＢにアクセスすることが可能であり得る。便宜上、以下の説明では、１つまたは複数のＣＳＧに関連するセル（たとえば、ＨＮＢ）をＣＳＧセルと呼ぶことがある。
【００１１】
実際には、ＨＮＢ（ＣＳＧセル）とＶＡＳとを採用するシステムにおいて様々な問題が起こり得る。これらの問題は、ＨＮＢと１つまたは複数のマクロセルとが同じ周波数上で動作する同一チャネル展開において、またはＨＮＢがマクロセルとは異なる周波数（たとえば、専用周波数）上で動作する専用チャネル展開において起こり得る。
【００１２】
同一チャネル展開では、ＨＮＢカバレージに関心がないアクセス端末（便宜上、以下ではマクロアクセス端末と呼ぶ）について、またはＨＮＢカバレージに関心があるアクセス端末（便宜上、以下ではＨＮＢアクセス端末と呼ぶ）について、誤ったイベントトリガリングが起こり得る。この誤ったトリガリングは、ＨＮＢおよびマクロセルがＶＡＳ中に含まれることの結果として起こり得る。この場合、このＶＡＳに基づく周波数品質推定値は不正確であり得る。
【００１３】
たとえば、他の（非サービング）周波数上でマクロセル品質は不十分であるがＨＮＢ品質は良好である場合、この他の周波数について比較的高い総合周波数品質推定値が示され得る。したがって、マクロカバレージにのみ関心があるマクロアクセスポイントは、マクロカバレージが不十分である（たとえば、サービング周波数上でよりも不良である）上記他の周波数にハンドオーバされ得る。
【００１４】
逆に、他の（非サービング）周波数上でマクロセル品質は良好であるがＨＮＢ品質は不十分である場合、この場合も、この他の周波数について比較的高い総合周波数品質推定値が示され得る。しかしながら、ＨＮＢカバレージにのみ関心があるＨＮＢアクセス端末は、ＨＮＢカバレージが不十分である（たとえば、サービング周波数上でマクロカバレージよりも不良である）上記他の周波数にハンドオーバされ得る。
【００１５】
上記で説明したマクロアクセス端末モビリティに対する悪影響を回避するためにＨＮＢがＶＡＳ中に含まれない場合、ＨＮＢアクセス端末は、そのようなハンドオーバが望まれる場合、ＨＮＢがある周波数にハンドオーバされないことがある。たとえば、他の（非サービング）周波数上でマクロセル品質は不十分であるがＨＮＢ品質は良好である場合、上記他の周波数について不十分な周波数品質推定値が報告されることになるので、ＨＮＢアクセス端末は現在のサービング周波数上に残され得る。
【００１６】
専用チャネル展開では、ＨＮＢアクセスに関連して様々な問題が起こり得る。たとえば、複数のＨＮＢに基づく周波数品質推定値は不正確であり得る。ここで、ユーザのＨＮＢ（たとえば、ＣＳＧに関連するＨＮＢ）の品質は不十分であるがネイバーＨＮＢの品質は高い場合、その専用ＨＮＢ周波数について比較的高い総合周波数品質推定値が示され得る。したがって、ＨＮＢアクセス端末のホームＨＮＢカバレージにのみ関心があるＨＮＢアクセス端末は、ホームＨＮＢカバレージが不十分である（たとえば、現在のサービング周波数上でマクロカバレージよりも不良である）場合、上記ＨＮＢ周波数にハンドオーバされ得る。
【００１７】
別の例として、全体的に企業ベースのＨＮＢ（たとえば、仕事場において与えられるＨＮＢ）の品質は高いように見えるが、個別に各ＨＮＢの品質は不十分である場合、その専用ＨＮＢ周波数について比較的高い総合周波数品質推定値が示され得る。したがって、ＨＮＢアクセス端末は、ＨＮＢカバレージが実際に不十分である（たとえば、現在のサービング周波数上でマクロカバレージよりも不良である）場合、上記ＨＮＢ周波数にハンドオーバされ得る。
【００１８】
その上、アクセス端末のためのＶＡＳ中に含まれることを許されているセルは、一般に、ネットワークによって指定されたセルに限定される。たとえば、ネットワークは、アクセス端末がＣＥＬＬ＿ＩＮＦＯ＿ＬＩＳＴまたはネイバーセルリスト（ＮＣＬ）中に含め得るセルを指定する、周波数内セル情報リストおよび周波数間セル情報リストを送り得る。しかしながら、これにより、専用周波数上でＨＮＢによって使用され得るプライマリスクランブリングコード（ＰＳＣ）の数が限定される。専用周波数上で展開された比較的多数の（たとえば、数百以上の）ＨＮＢがあり得ることを仮定すれば、これにより、専用周波数上でのＰＳＣ混乱の確率が増加し得る。
【発明の概要】
【００１９】
本開示のいくつかの例示的な態様の概要について以下で説明する。本概要は、読者の便宜のために与えられるものであり、本開示の幅を完全に定義するとは限らない。便宜上、本明細書では、本開示の単一の態様または複数の態様を指すために、いくつかの態様という用語を使用することがある。
【００２０】
本開示は、いくつかの態様では、異なるタイプのアクセスポイントまたはセルのための異なるＶＡＳを維持することに関する。たとえば、所与の周波数について、アクセス端末は、ＨＮＢ（たとえば、ＣＳＧセル、ハイブリッドセル(hybrid cell)、ＨＮＢに関連するオープンセル）に専用の１つのＶＡＳと、他のタイプのセル（たとえば、マクロセル）のための他のＶＡＳとを維持し得る。したがって、他の周波数上でＨＮＢ（ＣＳＧセル）にハンドオーバされることに関心があるアクセス端末は、周波数間イベントトリガリングのために（たとえば、本明細書ではＨＮＢ  ＶＡＳまたはＣＳＧ  ＶＡＳと呼ぶ）上記専用ＶＡＳを使用し得る。逆に、上記他の周波数上で何らかの他のタイプのセル（たとえば、マクロセル）にハンドオーバされることに関心があるアクセス端末は、周波数間イベントトリガリングのために上記他のＶＡＳを使用し得る。
【００２１】
本開示は、いくつかの態様では、異なるタイプのアクセスポイントまたはセルのための許可されたセルの異なるリストを定義することに関する。たとえば、アクセス端末は、ＨＮＢ（たとえば、オープンＨＮＢ、ＣＳＧセル、ハイブリッドセル）に専用であるＣＥＬＬ＿ＩＮＦＯ＿ＣＳＧ＿ＬＩＳＴを維持し、非ＨＮＢ（たとえば、マクロセル）に専用であるＣＥＬＬ＿ＩＮＦＯ＿ＬＩＳＴを維持し得る。アクセス端末は、ネットワークから受信したセル情報に基づいてこれらのリストを構成する。たとえば、所与の周波数について、ネットワークは、アクセス端末がそれのＣＥＬＬ＿ＩＮＦＯ＿ＣＳＧ＿ＬＩＳＴ中に含め得るＨＮＢセル（たとえば、オープンＨＮＢ、ＣＳＧセル、ハイブリッドセル）を指定する、ＣＳＧ周波数間セル情報リストおよびＣＳＧ周波数内セル情報リストを与え得る。さらに、ネットワークは、アクセス端末がそれのＣＥＬＬ＿ＩＮＦＯ＿ＬＩＳＴ中に含め得る非ＨＮＢ（たとえば、マクロ）セルを指定する、周波数内セル情報リストおよび周波数間セル情報リストを与え得る。したがって、ＨＮＢ  ＶＡＳ（ＣＳＧ  ＶＡＳ）は、ＣＥＬＬ＿ＩＮＦＯ＿ＣＳＧ＿ＬＩＳＴに記載されているいずれかのセルを含み得、他のＶＡＳは、ＣＥＬＬ＿ＩＮＦＯ＿ＬＩＳＴに記載されているいずれかのセルを含み得る。このようにして、より多数のＰＳＣが、所与の周波数上でＨＮＢ（ＣＳＧセル）による使用のために利用できる。
【００２２】
本開示は、いくつかの態様では、単一のＨＮＢ（ＣＳＧセル）の測定に基づいて周波数間イベントトリガリングのための周波数品質推定値を判断することに関する。いくつかの実装形態では、これは、１セルのあらかじめ定義されたサイズをもつＨＮＢ  ＶＡＳ（ＣＳＧ  ＶＡＳ）を使用することによって達成される。いくつかの実装形態では、これは、周波数間イベントトリガリングのためにＨＮＢ  ＶＡＳ（ＣＳＧ  ＶＡＳ）からベストセル(best cell)のみを使用することによって達成される。したがって、いずれの場合も、ハンドオーバ決定は、その周波数上のＨＮＢセル（ＣＳＧセル）の全部の全体的な品質に基づくのではなく、アクセス端末がおそらくそこにハンドオーバされるであろう実際のセルの品質に基づき得る。
【００２３】
本明細書で教示するこれらおよび他の技法を使用することによって、いくつかのタイプのセル（たとえば、ＨＮＢ）へのアクセス端末インバウンドモビリティ(inbound mobility)が改善され得る。たとえば、開示する技法の使用により、周波数間ハンドオーバを行うときに新しい周波数において予想されていたカバレージをアクセス端末が受信することになる可能性が増加し得る。
【００２４】
本開示のこれらおよび他の例示的な態様について、以下の発明を実施するための形態および添付の特許請求の範囲、ならびに添付の図面において説明する。
【図面の簡単な説明】
【００２５】
【図１】アクセス端末がアクティブセットと異なるタイプのＶＡＳとを維持し得る、通信システムのいくつかの例示的な態様の簡略ブロック図。
【図２】アクティブセットと異なるタイプのＶＡＳとを維持することに関連して実行され得る動作のいくつかの例示的な態様のフローチャート。
【図３】周波数間イベントトリガリングのためにＨＮＢ  ＶＡＳ（ＣＳＧ  ＶＡＳ）を維持し、使用することに関連して実行され得る動作のいくつかの例示的な態様のフローチャート。
【図４】１のサイズを有するＨＮＢ  ＶＡＳ（ＣＳＧ  ＶＡＳ）のためのセルを識別することに関連してアクセス端末によって実行され得る動作のいくつかの例示的な態様のフローチャート。
【図５】１のサイズに制限されないＨＮＢ  ＶＡＳ（ＣＳＧ  ＶＡＳ）のベストセルの変更に関連して実行され得る動作のいくつかの例示的な態様のフローチャート。
【図６】複数のＨＮＢ（ＣＳＧセル）をもつＨＮＢ  ＶＡＳ（ＣＳＧ  ＶＡＳ）を維持することに関連して実行され得る動作のいくつかの例示的な態様のフローチャート。
【図７】通信ノードにおいて採用され得る構成要素のいくつかの例示的な態様の簡略ブロック図。
【図８】ワイヤレス通信システムの簡略図。
【図９】フェムトノードを含むワイヤレス通信システムの簡略図。
【図１０】ワイヤレス通信のためのカバレージエリアを示す簡略図。
【図１１】通信構成要素のいくつかの例示的な態様の簡略ブロック図。
【図１２】電気通信システムのいくつかの例示的な態様を示す簡略ブロック図。
【図１３】本明細書で教示するようにＨＮＢ  ＶＡＳ（ＣＳＧ  ＶＡＳ）を維持するように構成された装置のいくつかの例示的な態様の簡略ブロック図。
【発明を実施するための形態】
【００２６】
慣例により、図面に示す様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているとは限らないことがある。最後に、明細書および図の全体にわたって同様の特徴を示すために同様の参照番号が使用されることがある。
【００２７】
［詳細な説明］
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、態様は、請求項の少なくとも１つの要素を備え得る。
【００２８】
図１に、例示的な通信システム１００（たとえば、通信ネットワークの一部分）のいくつかのノードを示す。説明のために、本開示の様々な態様について、互いに通信する１つまたは複数のアクセス端末、アクセスポイント、およびネットワークエンティティの文脈で説明する。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢ、マクロセル、ホームノードＢ、ホームｅノードＢ、ＣＳＧセル、フェムトセルなどと呼ばれることがあり、または基地局、ノードＢ、ｅノードＢ、マクロセル、ホームノードＢ、ホームｅノードＢ、ＣＳＧセル、フェムトセルなどとして実装されることがあり、アクセス端末は、ユーザ機器（ＵＥ）、移動局などと呼ばれることがあり、またはユーザ機器（ＵＥ）、移動局などとして実装されることがある。
【００２９】
システム１００中のアクセスポイントは、システム１００のカバレージエリア内に設置され得るか、またはシステム１００のカバレージエリア全体にわたってローミング(roam)し得る、１つまたは複数のワイヤレス端末（たとえば、アクセス端末１０２）に１つまたは複数のサービスへのアクセス（たとえば、ネットワーク接続性）を与える。たとえば、様々な時点において、アクセス端末１０２は、アクセスポイント１０４〜１１０のうちのいずれか、またはシステム１００中の何らかのアクセスポイント（図示せず）に接続し得る。これらのアクセスポイントの各々は、ワイドエリアネットワーク接続性を可能にするために、（便宜上、ネットワークエンティティ１１２によって表される）１つまたは複数のネットワークエンティティと通信し得る。
【００３０】
これらのネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御、セッション管理、モビリティ管理、ゲートウェイ機能、インターワーキング機能のうちの少なくとも１つなどの機能、または何らかの他の好適なネットワーク機能を表し得る。いくつかの態様では、モビリティ管理は、あるアクセスポイント（セル）から別のアクセスポイント（セル）へのアクセス端末のハンドオーバを制御する（たとえば、開始し、処理する）ことに関する。この目的で、ネットワークエンティティ１１２は、ハンドオーバ制御のための少なくとも１つの構成要素１１４を備えるものとして図１に示されている。いくつかの態様では、モビリティ管理は、追跡エリア、ロケーションエリア、ルーティングエリア、または何らかの他の好適な技法を使用することによってアクセス端末の現在のロケーションを追跡することと、アクセス端末のページングを制御することと、アクセス端末のためのアクセス制御を行うこととに関する。これらのネットワークエンティティのうちの２つ以上が共同設置され得、および／またはこれらのネットワークエンティティのうちの２つ以上がネットワーク全体にわたって分散され得る。
【００３１】
アクセスポイント１０４および１０６は、たとえば、（たとえば、ＨｅＮＢ、ＣＳＧセル、ハイブリッドセル、オープンＨＮＢ、フェムトセル、フェムトアクセスポイントなどを含む）ＨＮＢ、またはマクロセルとは異なるサービス（たとえば、カバレージ）を提供する何らかの他のタイプのセルを備え得る。便宜上、以下の説明では、これらのタイプのセルを単にＨＮＢと呼ぶことがある。ただし、開示する概念はＨＮＢに限定されないことを理解されたい。
【００３２】
本開示は、いくつかの態様では、アクセス端末１０２によって実行されるモビリティ関係の動作のために使用されるアクティブセットおよび異なるタイプのＶＡＳを維持することに関する。従来の慣習によれば、アクセス端末１０２は、現在のサービング周波数Ｆ０（便宜上、以下では使用周波数と呼ぶ）のためのアクティブセット１１６を維持する。さらに、アクセス端末１０２は、アクセス端末１０２がその上でサービスを受信し得る他の周波数Ｆ１〜ＦＮ（便宜上、以下では未使用周波数と呼ぶ）のためのＮ個のＶＡＳ１１８を維持する。ただし、ＶＡＳ１１８はＨＮＢを含まない。むしろ、本明細書の教示によれば、アクセス端末１０２は、未使用周波数上でＨＮＢのための専用ＶＡＳ１２０を維持する。すなわち、各専用ＶＡＳ１２０はＨＮＢのみを含む（すなわち、ＨＮＢに割り当てられた識別子を含む）ことになる。便宜上、以下の説明では、このような専用ＶＡＳを単にＨＮＢ  ＶＡＳ（またはＣＳＧ  ＶＡＳ）と呼ぶことがある。ただし、開示するＶＡＳ概念はＨＮＢ  ＶＡＳに限定されないことを理解されたい。
【００３３】
アクセス端末１０２は、ネットワークから（たとえば、ネットワークエンティティ１１２から）受信したセルリストをも維持する。たとえば、アクセス端末１０２は、どのセルが（たとえば、所与の未使用周波数のための）ＶＡＳ１１８中に含まれ得るかを指定するＣＥＬＬ＿ＩＮＦＯ＿ＬＩＳＴ１２２を維持し得る。ただし、ＶＡＳ１１８のために使用されるＣＥＬＬ＿ＩＮＦＯ＿ＬＩＳＴ１２２はＨＮＢを含まない。むしろ、本明細書の教示によれば、（たとえば、所与の未使用周波数のための）ＨＮＢ  ＶＡＳ１２０中に含まれ得るＨＮＢを指定するためにＣＥＬＬ＿ＩＮＦＯ＿ＣＳＧ＿ＬＩＳＴ１２４が使用される。
【００３４】
アクティブセットと他のＶＡＳとに関連した専用ＨＮＢ  ＶＡＳの実装形態について、図２のフローチャートに関連してより詳細に説明する。詳細には、図２は、アクティブセットおよびＶＡＳがどのように維持されるか、ならびにモビリティイベントをトリガするためにアクティブセットおよびＶＡＳがどのように使用されるかを表す。
【００３５】
便宜上、図２の動作（あるいは本明細書で説明または教示する他の動作）については、特定の構成要素（たとえば、図１または図７の構成要素）によって実行されるものとして説明することがある。ただし、これらの動作は、他のタイプの構成要素によって実行され、異なる数の構成要素を使用して実行され得ることを諒解されたい。また、本明細書で説明する動作のうちの１つまたは複数は、所与の実装形態では採用されないことがあることを諒解されたい。
【００３６】
図２のブロック２０２によって表されるように、アクセス端末１０２は、使用周波数上で近くのセルを識別するために経時的に周波数内測定を繰り返し行う。図１の簡略化された例では、アクセスポイント１０８の１つまたは複数のセルによって送信された信号に基づく周波数内測定が破線１２４によって表されている。周波数Ｆ０上で他のアクセスポイントのセルから受信した信号に基づいて同様の測定が行われ得ることを諒解されたい。これらの測定と併せて、アクセス端末１０２は、Ｆ０上でセルの各々から受信した信号に関連する１つまたは複数の品質メトリック(quality metric)を判断する。ここで、品質メトリックは、たとえば、受信パイロット強度の指示（たとえば、Ｅｃ／Ｉｏ）、受信信号符号電力（ＲＳＣＰ：received signal code power）の指示、または何らかの他の好適なメトリックを備え得る。
【００３７】
ブロック２０４によって表されるように、アクセス端末１０２は、たとえば、ブロック２０２において識別されたセルに関連する品質メトリックに基づいて、アクティブセット１１６中に含まれるべきセルのセットを選択する。たとえば、アクセス端末１０２は、最良の信号品質を有するセルをアクティブセット１１６中に含め得る。ここで、アクティブセット中に含まれるセルの数は最大アクティブセットサイズによって抑制され得る。経時的に行われた周波数内測定に基づいて、アクセス端末１０２は、セルからの受信信号の相対的な品質が改善および劣化するにつれて、ネットワークエンティティの要求上でそれらのセルを追加および削除することによって、アクティブセット１１６を維持する。
【００３８】
ブロック２０６によって表されるように、アクセス端末１０２は、各未使用周波数上で近くのセルを識別するために周波数間測定をも行う。たとえば、各周波数Ｆ１〜ＦＮについて、アクセス端末１０２は、その周波数上でマクロセルおよびＨＮＢを識別し、アクセス端末１０２において受信した信号に基づいてそれらのマクロセルおよびＨＮＢの品質メトリックを判断し得る。図１の簡略化された例では、アクセスポイント１１０の１つまたは複数のセルによって送信された信号に基づく周波数間測定が破線１２６によって表されている。同様に、アクセスポイント１０４および１０６の１つまたは複数のセルによって送信された信号に基づく周波数間測定が、それぞれ破線１２８および１３０によって表されている。各未使用周波数上で他のアクセスポイント（図示せず）のセルから受信した信号に基づいて同様の測定が行われ得ることを諒解されたい。
【００３９】
ブロック２０８によって表されるように、アクセス端末１０２は、ブロック２０６の周波数間測定とＣＥＬＬ＿ＩＮＦＯ＿ＬＩＳＴ１２２とに基づいてＶＡＳ１１８を維持する。たとえば、アクセス端末１０２は、１）ブロック２０６において所与の未使用周波数上で識別された、２）ＣＥＬＬ＿ＩＮＦＯ＿ＬＩＳＴ１２２中に存在する、マクロセルのセットに関連する信号品質に基づいて、その周波数のためのＶＡＳ１１８中に含まれるべきマクロセルを選択し得る。
【００４０】
ＶＡＳ１１８は、いくつかのイベント（たとえば、３ＧＰＰイベント１ａ、１ｂ、および１ｃ）の発生に従ってアクセス端末１０２によって更新される。ここで、イベント１ａは、ＶＡＳ１１８にセルを追加するために使用され、イベント１ｂは、ＶＡＳ１１８からセルを削除するために使用され、イベント１ｃは、ＶＡＳ１１８中のセルを交換するために使用される。これらのイベントは、アクセス端末１０２によって行われる周波数内測定に基づいてトリガされる。すなわち、所与のＶＡＳ１１８に関連する周波数上のセルに対応するいくつかの測定量の変化が発生したとき、アクセス端末１０２は、そのイベントに従ってセルを追加、削除、または交換するために、ＶＡＳ１１８中で適切な変更を実行する。たとえば、ＶＡＳ１１８のメンバーでないセルに対応する測定量が一定のしきい値を超えるときは、イベント１ａがトリガされ得、そのセルはＶＡＳ１１８に追加され得る。ＶＡＳ１１８のメンバーであるセルに対応する測定量が一定のしきい値を下回るときは、イベント１ｂがトリガされ得、そのセルはＶＡＳから削除され得る。ＶＡＳ１１８のメンバーでないセルに対応する測定量が一定のしきい値を超え、アクティブセットが一杯であるときは、ＶＡＳ１１８中のセルを新しいセルと交換するためにイベント１ｃがトリガされ得る。
【００４１】
ブロック２１０によって表されるように、アクセス端末１０２は、ブロック２０６の周波数内測定とＣＥＬＬ＿ＩＮＦＯ＿ＣＳＧ＿ＬＩＳＴ１２４とに基づいてＨＮＢ  ＶＡＳ１２０を維持する。たとえば、アクセス端末１０２は、１）ブロック２０６において所与の未使用周波数上で識別された、２）ＣＥＬＬ＿ＩＮＦＯ＿ＣＳＧ＿ＬＩＳＴ１２４中に存在する、ＨＮＢのセットに関連する信号品質に基づいて、その周波数のためのＨＮＢ  ＶＡＳ１２０中に含まれるべきＨＮＢを選択し得る。
【００４２】
ブロック２１２によって表されるように、アクセス端末１０２は、アクティブセット１１６と、ＶＡＳ１１８と、ＨＮＢ  ＶＡＳ１２０とを使用して、経時的に各周波数についての品質推定値を繰り返し（たとえば、周期的に）生成する。詳細には、アクセス端末１０２は、使用周波数についての品質推定値を与えるために、アクティブセット１１６に記載されているセルの測定を行う。たとえば、周波数品質推定値は、アクティブセット１１６に記載されているすべてのセルの電力レベルの平均に基づいて計算され得る。また、アクセス端末１０２は、未使用周波数の各々についての第１のセル（複数可）品質推定値（非ＨＮＢベースの品質推定値）を与えるために、ＶＡＳ１１８に記載されているセルの測定を行う。ここで、所与の周波数についての品質推定値は、たとえば、その周波数のためのＶＡＳ１１８に記載されているすべてのセルの電力レベルの平均に基づいて、計算され得る。ＶＡＳについての周波数品質推定値の計算の一例は３ＧＰＰ  ＴＳ２５．３３１、セクション１４．２．０ｂに記載されている。最後に、アクセス端末１０２は、未使用周波数の各々についての第２の品質推定値（ＨＮＢベースの品質推定値）を与えるために、ＶＡＳ１２０に記載されているセルの測定を行う。以下でより詳細に説明するように、所与の周波数についてのＨＮＢベースの品質推定値は、その周波数上で単一のＨＮＢ（たとえば、対応するＨＮＢ  ＶＡＳ１２０に記載されている唯一のセルまたはベストセル）から受信した信号に基づき得る。
【００４３】
ブロック２１４によって表されるように、周波数品質推定値が生成されると、それらの推定値に関係する指定された条件が満たされた場合、モビリティイベントをトリガする。たとえば、未使用周波数についての品質推定値が、しきい値を上回る場合、しきい値を下回る場合、または使用周波数についての品質推定値を超える場合、周波数間イベントがトリガされ得る。また、そのようなイベントのトリガリングは、未使用周波数についての品質推定値が特定の持続時間の間にしきい値を超えるかどうかに基づき得る。
【００４４】
特定の例として、上記で説明した周波数品質推定値は、アクセス端末１０２がネットワークに測定報告を送るべきかどうかを判断するために使用される。次いで、ネットワークは、測定報告情報を使用して、未使用周波数上で動作しているセル（またはセルのセット）にアクセス端末１０２がハンドオーバされるべきかどうかを判断し得る。たとえば、未使用周波数の周波数品質推定値が、少なくとも定義された時間期間の間に少なくとも定義された量だけ使用周波数の周波数品質推定値を超える場合、現在の未使用周波数へのアクセス端末のハンドオーバがトリガされ得る。典型的な実装形態では、上記定義された量はヒステリシスパラメータ((hysteresis parameter)に対応し、上記定義された時間期間はトリガ時間（ＴＴＴ）パラメータに対応する。
【００４５】
専用ＨＮＢ  ＶＡＳを使用することの利点を示すいくつかの例示的なシナリオについて以下で説明する。第１のシナリオでは、アクセス端末１０２は、現在のゾーンにおいてマクロセルアクセスのみについてサブスクライブされる。ここで、アクセス端末１０２が、Ｆ０上でアクセスポイント１０８と他のアクセスポイントとによって現在サービスされている場合、アクセス端末１０２は、各周波数についての品質推定値を与えるために、アクティブセット１１６とＶＡＳ１１８とに記載されているセルの測定を行い得る。有利なことに、これらのセットのいずれにもＨＮＢは記載されていない。したがって、アクセス端末１０２は、マクロセル品質推定値のみに基づいて測定報告の送信をトリガすることが可能である。その結果、そのような測定報告に基づいて（たとえば、アクセスポイント１１０がその上で動作している周波数への）周波数間ハンドオーバがネットワークによって示された場合、周波数品質推定値がＨＮＢにも基づく（たとえば、ＨＮＢとマクロセルとが同じＶＡＳ中に含まれる）実装形態と比較して、そのハンドオーバによりアクセス端末１０２のためのサービスが良くなる可能性は高くなる。これは、第１のシナリオでは、ターゲット周波数上のいずれのＨＮＢの存在も、その周波数上のマクロセルについての品質推定値に影響を及ぼさないからである。
【００４６】
第２のシナリオでは、アクセス端末１０２は、現在のゾーンにおいてＨＮＢアクセスについてサブスクライブされる。ここで、アクセス端末１０２が、Ｆ０上でアクセスポイント１０８と他のアクセスポイントとによって現在サービスされている場合、アクセス端末１０２は、各周波数についての品質推定値を与えるために、アクティブセット１１６と、ＶＡＳ１１８と、ＨＮＢ  ＶＡＳ１２０とに記載されているセルの測定を行い得る。この場合、未使用周波数上でＨＮＢと非ＨＮＢとについて別々の品質推定値が与えられる。したがって、測定報告をトリガする決定は、未使用周波数上のマクロセルについての品質推定値の第１のセットと、未使用周波数上のＨＮＢについての品質推定値の第２のセットとに基づき得る。その結果、品質推定値の第２のセット（ＨＮＢのみ）の報告に基づいて周波数間ハンドオーバが示された場合、その周波数についての周波数品質推定値がマクロセルにも基づく実装形態と比較して、そのハンドオーバにより（ＨＮＢカバレージに関心がある）アクセス端末１０２のためのサービスが良くなる可能性は高くなる。この場合、その周波数上のいずれのマクロセルの存在も、その周波数上のＨＮＢに対応する品質推定値に影響を及ぼさない。
【００４７】
上記を念頭において、専用ＨＮＢ  ＶＡＳがどのように維持され、使用され得るかについてのより詳細な例について、図３を参照しながら説明する。手短に言えば、ブロック３０２および３０４は、ＨＮＢ  ＶＡＳを与えるようにアクセス端末を構成することに関し、ブロック３０６および３０８は、ＨＮＢ  ＶＡＳを維持することに関し、ブロック３１０〜３１４は、ＨＮＢ  ＶＡＳをアクセス端末のインバウンドモビリティ(inbound mobility)のために使用することに関する。
【００４８】
いくつかの実装形態では、ＨＮＢ  ＶＡＳの初期化および／または維持は、従来のＶＡＳの初期化および／または維持と同様であり得る。たとえば、アクセス端末は、情報要素（ＩＥ）「周波数間設定更新」を含む、ＨＮＢ測定のための測定制御メッセージを受信したとき、ＨＮＢ  ＶＡＳをセットアップし得る。
【００４９】
図３のブロック３０２によって表されるように、ある時点において、ネットワークは、アクセス端末がＣＥＬＬ＿ＩＮＦＯ＿ＣＳＧ＿ＬＩＳＴを構成するために使用するセルのリスト（たとえば、ＣＳＧ周波数間セル情報リストおよび／またはＣＳＧ周波数内セル情報リスト）を用いてアクセス端末を構成する。たとえば、アクセス端末は、好適なネットワークエンティティ（たとえば、無線ネットワークコントローラ（ＲＮＣ））によって送られた測定制御メッセージ、構成メッセージ、または何らかの他の好適なメッセージを介して、（たとえば、ＩＥにおいて）このリストを受信し得る。
【００５０】
ブロック３０４によって表されるように、様々な時点において、アクセス端末は、１つまたは複数の指定された周波数の周波数間測定を実行するようにアクセス端末に命令するメッセージ（たとえば、測定制御メッセージ）をネットワークから受信する。このメッセージは、測定がいつ行われるべきであるか（たとえば、周期的に）、および測定がどのように報告されるべきであるか（たとえば、周期的にまたはイベントトリガリングされる）を指定し得る。いくつかの実装形態では、ブロック３０２において説明したＣＥＬＬ＿ＩＮＦＯ＿ＣＳＧ＿ＬＩＳＴを構成するために使用されるセルのリストは、代わりに、ブロック３０４のメッセージ中に含まれ得る。そのようなメッセージは、たとえば、３ＧＰＰ  ＴＳ２５．３６７、セクション８．１において規定された測定制御メッセージと同様であり得る。
【００５１】
ブロック３０６によって表されるように、アクセス端末は、指定された周波数のうちの１つの上で信号を受信することと、その信号を処理して（たとえば、セルのセル識別子、またはセルによって使用されるＰＳＣに基づいて）ＨＮＢと非ＨＮＢとからの信号を識別することとによって、その周波数の測定を行う。これらの受信した信号は、たとえば、セルによってブロードキャストされたパイロット信号または何らかの他の好適な信号を備え得る。
【００５２】
ブロック３０８によって表されるように、アクセス端末は、ブロック３０６においてＨＮＢから受信した信号に基づいて各周波数のためのＨＮＢ  ＶＡＳを維持し、そのＨＮＢ  ＶＡＳは、ＣＥＬＬ＿ＩＮＦＯ＿ＣＳＧ＿ＬＩＳＴ中に存在するセルのみを含む。したがって、ＨＮＢ  ＶＡＳ中に存在するセルのタイプはＨＮＢ（たとえば、ＣＳＧセル、ハイブリッドセル、およびオープンＨＮＢ）に制限される。ＨＮＢ  ＶＡＳは、いくつかのイベントの発生に基づいて更新され得る。いくつかの実装形態では、アクセス端末は、ＨＮＢ  ＶＡＳ中でメンバーシップを制御するために３ＧＰＰイベント１ａ、イベント１ｂ、またはイベント１ｃのために定義された測定基準を使用する。たとえば、ＨＮＢ  ＶＡＳ中に現在ないＨＮＢに対応する測定量が、指定されたイベント１ａのしきい値を超える場合、イベント１ａがトリガされ得、それにより、そのＨＮＢはＨＮＢ  ＶＡＳに追加される。同様の動作が、セルを削除する（イベント１ｂ）ために、またはセルを交換する（イベント１ｃ）ために実行され得る。
【００５３】
本明細書で説明するように、いくつかの実装形態では、ＨＮＢ  ＶＡＳは、周波数品質推定値のために使用されるべきである単一のセル（ＨＮＢ）を識別し得る。したがって、ネットワーク（たとえば、ＲＮＣなどの好適なネットワークエンティティ）は、この所望の挙動をサポートするようにＨＮＢ  ＶＡＳを構成し得る。ある場合には、ＨＮＢ  ＶＡＳのサイズは、１のサイズ（すなわち、１セルのサイズ）を有するようにネットワークによってあらかじめ定義されている。他の場合には、ネットワークは、ＨＮＢ  ＶＡＳのサイズを１に制限しない（すなわち、ＨＮＢ  ＶＡＳは１つまたは複数のメンバーを含み得る）。ただし、これらの他の場合には、アクセス端末は、ＨＮＢ  ＶＡＳから１つのセル（たとえば、ベストセル）を識別し、それにより、そのセルのみが周波数品質推定値のために使用される。
【００５４】
したがって、アクセス端末は、ＨＮＢ  ＶＡＳがどのように実装されるかに応じて、異なる方法でＨＮＢ  ＶＡＳを維持することになる。たとえば、ＨＮＢ  ＶＡＳのサイズが１に制限される実装形態では、新しいセルの追加により、前のセルが削除されることになる。このシナリオについては、図４に関連して以下でより詳細に説明する。ＨＮＢ  ＶＡＳのサイズが１に制限されない実装形態では、新しいセルの追加により、（ＨＮＢ  ＶＡＳの任意のサイズ制限に応じて）セルが削除されることも削除されないこともある。ただし、新しいセルの追加により、新しいベストセルが識別されることがある。このシナリオについては、図５に関連して以下でより詳細に説明する。
【００５５】
図３のブロック３１０によって表されるように、アクセス端末は、所与の未使用周波数のためのＨＮＢ  ＶＡＳを使用して、その周波数についての品質推定値を生成する。ＨＮＢ  ＶＡＳがサイズ＝１を有する実装形態では、これは、たとえば、セルの指定された品質メトリックを測定することに関与し得る。ＨＮＢ  ＶＡＳがサイズ＞１を有する実装形態では、これは、たとえば、ＨＮＢ  ＶＡＳ中のベストセルの指定された品質メトリックを測定することに関与し得る。そのような品質メトリックは、たとえば、Ｅｃ／Ｉｏ、ＲＳＣＰ、または何らかの他の好適なメトリックを備え得る。
【００５６】
ブロック３１２によって表されるように、アクセス端末は、そのような報告がトリガされるときはいつでも測定報告をネットワークに送る。たとえば、測定報告の送信は、未使用周波数のＨＮＢベースの周波数品質推定値がしきい値（たとえば、３ＧＰＰ  ２ｘイベントのしきい値）を超える場合、トリガされ得る。この測定報告は、その報告をトリガした任意の周波数品質推定値の指示を含み得る。
【００５７】
ブロック３１４によって表されるように、測定報告によってハンドオーバトリガが示された場合、ネットワーク（たとえば、ＲＮＣ）は周波数間ハンドオーバを開始し得る。たとえば、ブロック２１６において上記で説明したようにして、未使用周波数のＨＮＢベースの周波数品質推定値が、現在使用されている周波数の周波数品質推定値を超える場合、ハンドオーバがトリガされ得る。
【００５８】
本明細書で教示するように周波数品質推定値を生成するためにＨＮＢ  ＶＡＳから単一のＨＮＢを使用することによって、より有効なアクセス端末モビリティが達成され得る。たとえば、現在の３ＧＰＰ規格によれば、マクロセルからホームノードＢへのインバウンドモビリティは、ソフトハンドオーバではなく、ハードハンドオーバのみをサポートする。すなわち、マクロセルとホームノードＢとの間の同時接続は可能にされていない。したがって、既存の規格によれば、ホームノードＢセルにキャンプオンされたとき、アクティブセットは１セルよりも大きくすることができない。したがって、ＨＮＢ  ＶＡＳ（ＣＳＧ  ＶＡＳ）についての周波数品質推定値を取得するためにそのＶＡＳ中の複数のセルの電力レベルを組み合わせることによって得られる利益はほとんどない。むしろ、本明細書の教示によれば、そのようなＶＡＳについてのより有用な周波数品質推定値は、１つのセルにのみ対応する。したがって、イベントベースのトリガリングに関して、ＨＮＢ  ＶＡＳに対応する（３ＧＰＰでは、しばしば２ｘイベントとも呼ばれる）周波数間イベントは、好ましくは、ただ１つのＨＮＢ（たとえば、１つのＣＳＧセル）に対応する測定に基づいてトリガされる。言い換えれば、周波数品質推定値は、好ましくは、セルの組合せではなく、本明細書で教示するようにただ１つのセルに制限される。
【００５９】
図４に、１のあらかじめ定義されたサイズを有するＨＮＢ  ＶＡＳのためにＨＮＢがどのように選択され得るかについてのより詳細な例を示す。この例では、１つの周波数上でベストセルを識別するためのプロセスの１つの反復について説明する。実際には、これらの動作は、繰り返し（たとえば、周期的に）、および各未使用周波数について実行される。
【００６０】
ブロック４０２によって表されるように、様々な時点において、アクセス端末は、指定された周波数上で信号を受信する。たとえば、アクセス端末は、ネットワークから受信された測定制御メッセージによって指定された周波数の周期的測定を行い得る。その周波数上で動作している近くのＨＮＢがある場合、アクセス端末はそれらのＨＮＢから信号（たとえば、パイロット信号）を受信することになる。
【００６１】
ブロック４０４によって表されるように、アクセス端末は、ブロック４０２において受信された信号を送った複数のセル（ＨＮＢ）を識別する。ＨＮＢは、たとえば、（たとえば、パイロット信号について）ＨＮＢによって使用されるＰＳＣに基づいて、信号中に含まれるセル識別子に基づいて、または何らかの他の識別技法に基づいて、識別され得る。図４のプロセスの後続のステップでは、ＣＥＬＬ＿ＩＮＦＯ＿ＣＳＧ＿ＬＩＳＴに記載されているＨＮＢのみが考慮される。
【００６２】
ブロック４０６および４０８によって表されるように、アクセス端末は、ブロック４０４において識別された複数のセルのうちのベストセルを識別し、そのベストセルをＨＮＢ  ＶＡＳ中に含める。ここで、ベストセルの識別は、たとえば、３ＧＰＰイベント１ａのために指定された測定基準など、定義された測定基準に基づく。したがって、ベストセルは、どのセルが、最良の信号電力、最高のＥｃ／Ｉｏ、最高の信号対雑音比、最低の経路損失、または何らかの他の基準のうちの１つまたは複数に関連するかに基づいて、定義され得る。
【００６３】
場合によっては、ベストセルの識別は、ＨＮＢ  ＶＡＳ中に現在あるセルの代わりに新しいセルを使用することに関与する。たとえば、初期測定は、考慮中のすべてのＨＮＢのうち、ＨＮＢ１が最も強い受信信号強度を有することを示し得、それにより、ＨＮＢ１はＨＮＢ  ＶＡＳに入れられる。しかしながら、後続の測定は、（たとえば、ＨＮＢ１を含む）考慮中のすべてのＨＮＢのうち、ＨＮＢ２が最も強い受信信号強度を有することを示し得る。この場合、ブロック４０８は、ＨＮＢ１をＨＮＢ２と交換することに関与する。
【００６４】
一般に、新しいベストセルの選択は、候補ベストセルの測定値が、いくつかの基準に基づいて現在のベストセルの測定値を超えるかどうかを判断することに関与する。たとえば、候補ベストセルの品質が、少なくとも定義された時間期間の間に少なくとも定義された量だけ現在のベストセルの品質を超えない限り、ベストセルの変更は行われないことがある。新しいベストセルを選択するこの態様については、図５のブロック５０８に関連して以下でより詳細に説明する。
【００６５】
図４のブロック４１０によって表されるように、ある時点において、アクセス端末は、ＨＮＢ  ＶＡＳ中の唯一のＨＮＢ（ベストセル）についての品質推定値を含む測定報告をネットワークに送る。この報告の送信は、本明細書で説明するように様々な基準に基づいてトリガされ得る。たとえば、ＨＮＢ  ＶＡＳ中のＨＮＢに関連する推定された品質がしきい値を超えるときはいつでも、報告が送られ得る。別の例として、新しいＨＮＢがＨＮＢ  ＶＡＳに切り替えられるときはいつでも、報告が送られ得る。
【００６６】
上述のように、いくつかの実装形態では、専用ＨＮＢ  ＶＡＳは、２つ以上のＨＮＢを有することが可能であり得る。たとえば、将来の３ＧＰＰシステムが、ホームノードＢへのソフトハンドオーバと、ホームノードＢからのソフトハンドオーバと、ホームノードＢ間のソフトハンドオーバとを実装する可能性を保つことが望まれることがある。したがって、本明細書の教示によれば、ＨＮＢ  ＶＡＳ（たとえば、ホームノードＢ  ＶＡＳ）は、１セルのみのサイズに制限される必要はない。この場合、アクセス端末は、ＨＮＢ  ＶＡＳ中の複数のＨＮＢの中から、それに周波数品質推定値の基礎をおくべき１つのセルを選択するように構成される。本開示のさらなる態様によれば、周波数品質推定値はＨＮＢ  ＶＡＳ中のベストセル（たとえば、最高の測定結果をもつセル）に基づく。
【００６７】
図５に、ＨＮＢ  ＶＡＳが１のサイズに制限されない方式を示す。この例では、周波数品質推定値は、以下の式１において説明する重みパラメータＷを制御することによってＨＮＢ  ＶＡＳのベストセルに関連する測定量に限定される。式１は、ＴＳ２５．３３１、セクション１４．２．０ｂにおいて定義されているように、周波数ｊに対応するＶＡＳ中のセルについての周波数品質推定値の計算を表す。
【００６８】
式１
【数１】
0005607232.tif 000002
【００６９】
上式で、
Ｑfrequency jは、周波数ｊ上のＶＡＳの推定された品質であり、
Ｍfrequency jは、周波数ｊ上のＶＡＳの推定された品質であり、
Ｍi jは、周波数ｊ上のＶＡＳ中のセルｉの測定結果であり、
ＮA jは、周波数ｊ上のＶＡＳ中のセルの数であり、
ＭBest jは、最高の測定結果をもつ、周波数ｊ上のＶＡＳ中のセルの測定結果であり、
Ｗjは、ＵＴＲＡＮからＵＥに送られ、周波数ｊのために使用されるパラメータである。
【００７０】
従来、パラメータＷは、ネットワークからアクセス端末に与えられ、周波数品質推定値の計算において使用される。詳細には、Ｗパラメータは、周波数品質推定値を計算するときにアクセス端末がアクティブセットまたはＶＡＳ中のセルを別様に重み付けすることを可能にするために、使用される。したがって、周波数品質推定値を取得するためにＶＡＳ中のセルが組み合わせられるとき、それらのセルはパラメータＷに従って重み付けされる。特定の周波数におけるベストセルに対応する測定値には（１−Ｗ）を乗算し、その周波数における残りのセルの各々に対応する測定値にはＷを直接乗算する。
【００７１】
したがって、パラメータＷを０に設定すると、周波数品質推定値は、最良の測定結果をもつ、その周波数上のＨＮＢ  ＶＡＳ中のセルの測定結果と等価になる。すなわち、パラメータＷが０に設定される場合、アクセス端末は、ベストセルから取得された測定値のみを考慮し、ＨＮＢ  ＶＡＳ中のすべての他のセルに０の重みを与えることになる。この機構を使用して、ＨＮＢ  ＶＡＳのサイズは、構成可能であり、１セルよりも大きい値をとり得るが、Ｗが０に設定されるとき、周波数品質推定値はＨＮＢ  ＶＡＳ中の１つのセル（たとえば、ベストセル）のみに依存する。
【００７２】
しかしながら、ＨＮＢは極めて小さいセルであり得るので、非固定アクセス端末から見たＨＮＢの品質は極めて急速に増加および減少し得る。これは周波数品質推定値に不安定性をもたらし得、なぜなら、１つのＨＮＢのみに依存するそのような推定値は、いくつかのセルに依存する推定値よりも急速に経時的に変動し得る可能性があるからである。そのような潜在的に不安定で変動する周波数品質推定値の場合、（この推定値によってトリガされる）２ｘイベントは時期尚早にまたは完全に無駄にトリガされ得ることが考えられる。これらの望ましくないトリガは、次に、不要な測定報告メッセージがアクセス端末によって送信されること、および他の不要な結果につながり得る。
【００７３】
したがって、本開示の一態様によれば、パラメータＷが０に設定されるとき、２ｘイベントのためのＴＴＴをカウントするために使用されているタイマーは、ＨＮＢ  ＶＡＳ中の「ベスト」セルとして指定されたセルが変わるときはいつでもリセットされ得る。たとえば、ＴＴＴタイマーが３００ｍｓまでカウントしている場合、そのタイマーは、ＨＮＢ  ＶＡＳ中のベストセルが変わるときはいつでも０にリセットされ、もう一度そのタイマーのカウントを開始し得る。この様式では、特定のＨＮＢ  ＶＡＳについての周波数品質推定値が、ＴＴＴよりも大きい時間の間に、対応するしきい値を超えるにもかかわらず、そのＨＮＢ  ＶＡＳについての周波数品質推定値が上記しきい値を超えるまで２ｘイベントがトリガされず、ＨＮＢ  ＶＡＳ中のベストセルとして指定されたセルが、ＴＴＴよりも大きい時間の間に変わらないように、ＴＴＴは延長され得る。
【００７４】
パラメータＷが０に設定されるときも適用可能な、本開示のさらなる態様によれば、ＨＮＢ  ＶＡＳ中のベストセルとして指定されたセルの変更では、３ＧＰＰイベント１ｃのために指定されたヒステリシスおよびＴＴＴを使用する。上記で説明したように、イベント１ｃは、アクセス端末においてトリガされるイベントであり、これにより、ＶＡＳ中でセルが交換される。イベント１ｃのためのヒステリシスの一例は３ＧＰＰ  ＴＳ２５．３３１、セクション１４．１．５．１に記載されている。イベント１ｃのトリガ時間（ＴＴＴ）の一例は３ＧＰＰ  ＴＳ２５．３３１、セクション１４．１．５．２に記載されている。
【００７５】
概して、あるセルの測定量がＨＮＢ  ＶＡＳ中のベストセルの測定量を超えるかどうかを判断するために使用されるしきい値に好適な量を追加するためにヒステリシスが採用される。ヒステリシスを使用することにより、新しいベストセルの選択は、より安定し、ＨＮＢ信号の測定量の小さい値の変動を受けにくくなる。さらに、イベント１ｃのＴＴＴを使用することにより、ＨＮＢ  ＶＡＳ中のベストセルの指定がさらに安定化する。すなわち、ＨＮＢ信号に関連する測定量の短い持続時間の変動がＴＴＴの持続時間を超えない場合、これらの変動によるベストセルの指定の変更が防止される。
【００７６】
本開示のいくつかの態様では、ＨＮＢ  ＶＡＳ中の新しいベストセルとして指定されるようになるために、候補ベストセルの測定量が、少なくともＴＴＴに等しい持続時間の間にヒステリシス量だけ現在のベストセルの測定量を必ず超えるように、ヒステリシスはＴＴＴと組み合わせられ得る。本開示の他の態様では、候補ベストセルの測定量がヒステリシス量だけ現在のベストセルの測定量を超えると、タイマーが開始し、候補ベストセルの測定量が、少なくともＴＴＴに等しい持続時間の間に現在のベストセルの対応する測定量を超える限り（すなわち、必ずしも、時間全体にわたってヒステリシス量よりも大きいとは限らない）、候補ベストセルがＨＮＢ  ＶＡＳ中の新しいベストセルになるように、ヒステリシスはＴＴＴと組み合わせられ得る。
【００７７】
したがって、要約すれば、本開示のいくつかの態様によれば、パラメータＷは、所望のときに０に設定される。パラメータＷが０に設定されるとき、２ｘイベントのためのＴＴＴを判断するために使用されるタイマーは、ＨＮＢ  ＶＡＳ中のベストセルとして指定されたセルが変わるときにリセットされる。さらに、パラメータＷが０に設定されるとき、ＨＮＢ  ＶＡＳ中のベストセルとして指定されたセルを変更するための判断では、イベント１ｃにおいて使用されるのと同じヒステリシスおよびＴＴＴを使用する。
【００７８】
図５を参照しながら、上記の機能を与えるためにアクセス端末によって実行され得る例示的な動作について次に説明する。この例では、１つの周波数について実行される動作について説明する。実際には、これらの動作は、各未使用周波数について繰り返し（たとえば、周期的に）実行される。
【００７９】
ブロック５０２によって表されるように、ＨＮＢ  ＶＡＳ中に存在するただ１つのセル（ＨＮＢ）が周波数間イベント報告(inter-frequency event reporting)のために使用されるように定義された値（たとえば、０値）に重みパラメータを設定する。たとえば、式１の重みパラメータＷが０に設定される場合、周波数ｊについて得られる品質推定値は、周波数ｊのためのＨＮＢ  ＶＡＳのベストセルの測定のみに基づく。いくつかの実装形態では、ネットワーク（たとえば、ＲＮＣ）は、適切な構成メッセージを送ることによって、ネットワーク中のアクセス端末によって使用される重みパラメータを構成する。たとえば、ネットワークは、重みパラメータの値を指定するＩＥを含む測定制御メッセージを送り得る。
【００８０】
ブロック５０４によって表されるように、アクセス端末は、指定された周波数のための初期ＨＮＢ  ＶＡＳを生成するための測定を行い、それにより、そのＨＮＢ  ＶＡＳは２つ以上のセル（ＨＮＢ）を含むことが可能になる。本明細書で説明するように、ＨＮＢ  ＶＡＳ中のＨＮＢの数は、ＨＮＢ  ＶＡＳの定義された最大サイズと、アクセス端末の近傍にあり、したがってアクセス端末によって測定可能である、ＣＥＬＬ＿ＩＮＦＯ＿ＣＳＧ＿ＬＩＳＴに記載されているＨＮＢの数とに依存し得る。さらに、ＨＮＢ  ＶＡＳの初期ベストセルが識別される。
【００８１】
ブロック５０６〜５１４では、アクセス端末が、所与の未使用周波数上でセル品質を繰り返し（たとえば、周期的に）測定し、そのような更新が求められるときはいつでもＨＮＢ  ＶＡＳのベストセルを更新する、例示的な動作について説明する。ブロック５０６によって表されるように、アクセス端末は、本明細書で説明するように、指定された周波数の測定を行う（たとえば、ＨＮＢからのパイロット信号のＥｃ／ＩｏまたはＲＳＣＰを測定する）。
【００８２】
ブロック５０８および５１０によって表されるように、アクセス端末は、ＨＮＢ  ＶＡＳのための新しいベストセルがあるかどうかを判断する。たとえば、アクセス端末は、候補ベストセルに関連する（たとえば、３ＧＰＰイベント１ａのために指定された少なくとも１つの測定基準に対応する）測定された品質が、少なくとも定義された時間期間の間に少なくとも定義された量だけ現在のベストセルに関連する測定された品質を超えるかどうかを判断し得る。上記で説明したように、この定義された量は、イベント１ｃのために定義されたヒステリシスパラメータを備え得、この定義された時間期間は、イベント１ｃのために定義されたＴＴＴパラメータを備え得る。
【００８３】
ブロック５１２によって表されるように、ブロック５０８のテストが満たされた場合、アクセス端末はＨＮＢ  ＶＡＳのためのベストセルを変更する。ブロック５１４によって表されるように、この変更に関連して、アクセス端末は、周波数間イベント報告のためのＴＴＴパラメータをリセットする（たとえば、２ｘイベントのためのＴＴＴをリセットする）。
【００８４】
次に図６を参照すると、上記で説明したように周波数品質推定値を生成するために式１または同様のアルゴリズムを使用するシステムは、周波数品質推定値がそれによってＨＮＢ  ＶＡＳ中のＨＮＢのうちの２つ以上に関連する測定量に基づく方式に容易に切り替え得る。たとえば、式１の重みパラメータＷを０でない値に設定することによって、周波数品質推定値を与えるためにＨＮＢ  ＶＡＳ中のＨＮＢの全部の測定量が考慮に入れられる。このようにして、そのようなシステムは、ホームノードＢまたは他の同様のセルへのソフトハンドオーバと、それらからのソフトハンドオーバと、それらの間のソフトハンドオーバとをサポートするように構成可能であり得る（たとえば、このソフトハンドオーバが３ＧＰＰ規格の将来のバージョンにおいてサポートされる場合）。
【００８５】
したがって、ブロック６０２によって表されるように、ＨＮＢ  ＶＡＳ中に存在する２つ以上のセル（ＨＮＢ）が周波数間イベント報告のために使用されるように定義された値（たとえば、０でない値）に重みパラメータを設定する。たとえば、式１の重みパラメータＷが０．５に設定される場合、０．５の重みがＨＮＢ  ＶＡＳのベストセルとＨＮＢ  ＶＡＳの残りのセルとに適用される。したがって、周波数ｊについて得られる品質推定値は、ＨＮＢ  ＶＡＳの各セルの測定に基づく。
【００８６】
したがって、ブロック６０４によって表されるように、アクセス端末は、各指定された周波数のためのＨＮＢ  ＶＡＳを維持し、それにより、各ＨＮＢ  ＶＡＳは２つ以上のＨＮＢを含むことが可能になる。パラメータＷが０に設定されないとき、ヒステリシスおよびＴＴＴに関係する上記で説明した技法は、使用される必要はない。すなわち、ＨＮＢ  ＶＡＳ中のベストセルが変わるときの２ｘイベントのＴＴＴに対応するタイマーのリセットと、ＨＮＢ  ＶＡＳ中のベストセルの変更のためにイベント１ｃのヒステリシスおよびＴＴＴが使用されることとは、適用されないことがある。
【００８７】
したがって、ブロック６０６によって表されるように、アクセス端末によって送られる測定報告は、ＨＮＢ  ＶＡＳに記載されている複数のセルの測定に基づき得る。たとえば、式１が使用されるとき、上記報告において報告される周波数品質推定値は、ＨＮＢ  ＶＡＳのセルの全部の重み付けされた測定に基づき得る。その上、測定報告を送るためのトリガは、そのような周波数品質推定値としきい値との比較に基づき得る。
【００８８】
ＨＮＢのためのソフトハンドオーバをサポートする実装形態では、アクセス端末は、アクセス端末のアクティブセットに記載されている各セルとの接続（たとえば、無線リンク）を維持し得、アクティブセットはＨＮＢをも含み得る。したがって、（ブロック６０８において）ＨＮＢソフトハンドオーバを実行するためのトリガは、１）複数のＨＮＢの測定に基づき得る未使用周波数についての周波数品質推定値と、２）同じく複数のＨＮＢの測定に基づき得る使用周波数についての周波数品質推定値との比較に基づき得る。
【００８９】
本明細書で説明するＶＡＳ関係の技法は、様々な実装形態において様々な方法で実装され得る。たとえば、本明細書の教示は、（たとえば、ＵＭＴＳまたはＬＴＥ以外の）様々なタイプのネットワークにおいて採用され得る。また、ＨＮＢ  ＶＡＳを維持するために、（たとえば、ＣＥＬＬ＿ＩＮＦＯ＿ＣＳＧ＿ＬＩＳＴ以外の）様々なタイプのパラメータが使用され得る。
【００９０】
本明細書の教示は、他のタイプのセルおよびアクセスポイントに適用可能であり得る。たとえば、制限付きアクセス（たとえば、ＣＳＧ概念に基づかない制限付きアクセス）またはより小さいカバレージエリアをサポートする何らかの他のタイプのセルおよびアクセスポイントのために専用ＶＡＳが維持され得る。また、異なるタイプのセルのために複数の専用ＶＡＳが維持され得る。たとえば、専用ＣＳＧ  ＶＡＳはＣＳＧセルのみを含み得、専用ハイブリッドＶＡＳはハイブリッドセルのみを含み得、専用オープンＨＮＢ  ＶＡＳはオープンＨＮＢのみを含み得る、などである。したがって、ＨＮＢとＨＮＢ  ＶＡＳとに関して本明細書で説明する構造および動作は何らかの他のタイプのセルおよびＶＡＳに等しく適用可能であり得ることを理解されたい。
【００９１】
図７に、本明細書で教示するハンドオーバ関係の動作を実行するために（たとえば、それぞれ図１のアクセス端末１０２およびネットワークエンティティ１１２に対応する）アクセス端末７０２およびネットワークエンティティ７０４などのノードに組み込まれ得る（対応するブロックによって表される）いくつかの例示的な構成要素を示す。説明する構成要素は、通信システム中の他のノードにも組み込まれ得る。たとえば、システム中の他のノードは、同様の機能を与えるために、アクセス端末７０２およびネットワークエンティティ７０４に関して説明する構成要素と同様の構成要素を含み得る。また、所与のノードは、説明する構成要素のうちの１つまたは複数を含み得る。たとえば、アクセス端末は、アクセス端末が複数の周波数上で動作し（たとえば、異なる公称キャリア周波数に関連する異なる周波数帯域上で動作し）、および／または様々な技術によって通信することを可能にする、複数のトランシーバ構成要素を含み得る。
【００９２】
図７に示すように、アクセス端末７０２は、他のノードと通信するためのトランシーバ７０６を含む。トランシーバ７０６は、信号（たとえば、メッセージ、指示）を送るための送信機７０８を各々が含む１つまたは複数の送信チェーンと、信号（たとえば、メッセージ、指示、パイロット信号）を受信するための受信機７１０を各々が含む１つまたは複数の受信チェーンとを含み得る。
【００９３】
ネットワークエンティティ７０４は、他のノード（たとえば、ネットワークエンティティ）と通信するためのネットワークインターフェース７１２を含む。たとえば、ネットワークインターフェース７１２は、ワイヤベースまたはワイヤレスバックホールを介して１つまたは複数のネットワークエンティティと通信するように構成され得る。いくつかの態様では、ネットワークインターフェース７１２は、ワイヤベースまたはワイヤレス通信をサポートするように構成された（たとえば、送信機および受信機構成要素を含む）トランシーバとして実装され得る。したがって、図７の例では、ネットワークインターフェース７１２は、信号（たとえば、メッセージ）を送信するための送信機７１４と、信号（たとえば、メッセージ）を受信するための受信機７１６とを備えるものとして示されている。
【００９４】
アクセス端末７０２およびネットワークエンティティ７０４は、本明細書で教示するハンドオーバ関係の動作に関連して使用され得る他の構成要素をも含む。たとえば、アクセス端末７０２は、ハンドオーバ関係の動作を実行すること（たとえば、ＨＮＢのためのＶＡＳを維持すること、セルを識別すること、ベストセルを識別すること、ベストセルをＶＡＳ中に含めること、周波数品質推定値を計算すること、定義された値に重みパラメータを設定すること、セルをベストセルとして選択すること、ベストセルを変更すること、ＴＴＴパラメータをリセットすること）と、本明細書で教示する他の関係する機能を与えることとを行うためのハンドオーバコントローラ７１８を含み得る。同様に、ネットワークエンティティ７０４は、ハンドオーバ関係の動作を実行すること（たとえば、アクセス端末を構成すること、ハンドオーバを開始すること、ＨＮＢのためのＶＡＳを維持するようにアクセス端末に命令すること、ＣＥＬＬ＿ＩＮＦＯ＿ＣＳＧ＿ＬＩＳＴについてセル情報を定義し、与えること、重みパラメータを定義し、送ること）と、本明細書で教示する他の関係する機能を与えることとを行うためのハンドオーバコントローラ７２０を含み得る。アクセス端末７０２およびネットワークエンティティ７０４は、それぞれ、通信を制御すること（たとえば、メッセージを送信および受信すること）と、本明細書で教示する他の関係する機能を与えることとを行うための通信コントローラ７２２および７２４をも含み得る。また、アクセス端末７０２およびネットワークエンティティ７０４は、それぞれ、情報（たとえば、アクティブセットおよびＶＡＳ情報、ＣＥＬＬ＿ＩＮＦＯ＿ＣＳＧ＿ＬＩＳＴ情報、重みパラメータ情報）を維持するための（たとえば、各々がメモリデバイスを含む）メモリ構成要素７２６および７２８を含む。
【００９５】
便宜上、アクセス端末７０２およびネットワークエンティティ７０４は、本明細書で説明する様々な例において使用され得る構成要素を含むものとして図７に示されている。実際には、これらのブロックのうちの１つまたは複数の機能は、異なる実施形態では異なり得る。たとえば、ブロック７１８の機能は、図６に従って実装される展開と比較して、図５に従って実装される展開では異なり得る。
【００９６】
図７の構成要素は様々な方法で実装され得る。いくつかの実装形態では、図７の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック７０６によって表される機能の一部、ならびにブロック７１８および７２２によって表される機能の一部または全部は、アクセス端末の１つまたは複数のプロセッサと、アクセス端末のデータメモリとによって（たとえば、適切なコードの実行によって、および／またはプロセッサ構成要素の適切な構成によって）実装され得る。同様に、ブロック７１２によって表される機能の一部、ならびにブロック７２０および７２４によって表される機能の一部または全部は、ネットワークエンティティの１つまたは複数のプロセッサと、ネットワークエンティティのデータメモリとによって（たとえば、適切なコードの実行によって、および／またはプロセッサ構成要素の適切な構成によって）実装され得る。
【００９７】
上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用され得る。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージノードを使用して、（たとえば、よりロバストなユーザエクスペリエンスのために）増分キャパシティの増大と、屋内カバレージと、様々なサービスとを与え得る。
【００９８】
本明細書の説明では、比較的大きいエリアにわたるカバレージを与えるノード（たとえば、アクセスポイント）をマクロアクセスポイントと呼び、比較的小さいエリア（たとえば、レジデンス）にわたるカバレージを与えるノードをフェムトアクセスポイントと呼ぶことがある。本明細書の教示は、他のタイプのカバレージエリアに関連付けられたノードに適用され得ることを諒解されたい。たとえば、ピコアクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成すること、またはそのように呼ぶことがある。また、フェムトアクセスポイントを、ホームノードＢ、ホームｅノードＢ、アクセスポイント基地局、フェムトセルなどとして構成すること、またはそのように呼ぶことがある。いくつかの実装形態では、ノードを１つまたは複数のセルまたはセクタに関連付けることがある（たとえば、そのように呼ぶこと、または分割することがある）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【００９９】
図８に、本明細書の教示が実装され得る、何人かのユーザをサポートするように構成されたワイヤレス通信システム８００を示す。システム８００は、たとえば、マクロセル８０２Ａ〜８０２Ｇなど、複数のセル８０２の通信を可能にし、各セルは、対応するアクセスポイント８０４（たとえば、アクセスポイント８０４Ａ〜８０４Ｇ）によってサービスされる。図８に示すように、アクセス端末８０６（たとえば、アクセス端末８０６Ａ〜８０６Ｌ）は、時間とともにシステム全体にわたって様々なロケーションに分散され得る。各アクセス端末８０６は、たとえば、アクセス端末８０６がアクティブかどうか、およびアクセス端末８０６がソフトハンドオフ中かどうかに応じて、所与の瞬間に順方向リンク（ＦＬ）および／または逆方向リンク（ＲＬ）上で１つまたは複数のアクセスポイント８０４と通信し得る。ワイヤレス通信システム８００は大きい地理的領域にわたってサービスを提供し得る。たとえば、マクロセル８０２Ａ〜８０２Ｇは、近隣内の数ブロックまたは地方環境の数マイルをカバーし得る。
【０１００】
図９に、１つまたは複数のフェムトアクセスポイント（ＨＮＢ）がネットワーク環境内に展開された例示的な通信システム９００を示す。特に、システム９００は、比較的小規模のネットワーク環境中に（たとえば、１つまたは複数のユーザレジデンス９３０中に）設置された複数のフェムトアクセスポイント９１０（たとえば、フェムトアクセスポイント９１０Ａおよび９１０Ｂ）を含む。各フェムトアクセスポイント９１０は、ＤＳＬルータ、ケーブルモデム、ワイヤレスリンク、または他の接続手段（図示せず）を介して、ワイドエリアネットワーク９４０（たとえば、インターネット）とモバイル事業者コアネットワーク９５０とに結合され得る。以下で説明するように、各フェムトアクセスポイント９１０は、関連するアクセス端末９２０（たとえば、アクセス端末９２０Ａ）、および、随意に、他の（たとえば、ハイブリッドまたはエイリアン）アクセス端末９２０（たとえば、アクセス端末９２０Ｂ）にサービスするように構成され得る。言い換えれば、フェムトアクセスポイント９１０へのアクセスは制限され得、それによって、所与のアクセス端末９２０は、指定された（１つまたは複数の）（たとえば、ホーム）フェムトアクセスポイント９１０のセットによってサービスされ得るが、指定されていないフェムトアクセスポイント９１０（たとえば、ネイバーのフェムトアクセスポイント９１０）によってサービスされないことがある。
【０１０１】
図１０に、いくつかの追跡エリア１００２（またはルーティングエリアまたはロケーションエリア）が画定されたカバレージマップ１０００の一例を示し、そのエリアの各々はいくつかのマクロカバレージエリア１００４を含む。ここで、追跡エリア１００２Ａ、１００２Ｂ、および１００２Ｃに関連付けられたカバレージのエリアは太線によって示され、マクロカバレージエリア１００４は大きい六角形によって表される。追跡エリア１００２はフェムトカバレージエリア１００６をも含む。この例では、フェムトカバレージエリア１００６の各々（たとえば、フェムトカバレージエリア１００６Ｂおよび１００６Ｃ）は、１つまたは複数のマクロカバレージエリア１００４（たとえば、マクロカバレージエリア１００４Ａおよび１００４Ｂ）内に示されている。ただし、フェムトカバレージエリア１００６の一部または全部がマクロカバレージエリア１００４内にないことがあることを諒解されたい。実際問題として、多数のフェムトカバレージエリア１００６（たとえば、フェムトカバレージエリア１００６Ａおよび１００６Ｄ）を所与の追跡エリア１００２またはマクロカバレージエリア１００４内に画定し得る。また、１つまたは複数のピコカバレージエリア（図示せず）を所与の追跡エリア１００２またはマクロカバレージエリア１００４内に画定し得る。
【０１０２】
再び図９を参照すると、フェムトアクセスポイント９１０の所有者は、たとえば、３Ｇモバイルサービスなど、モバイル事業者コアネットワーク９５０を介して提供されるモバイルサービスに加入し得る。さらに、アクセス端末９２０は、マクロ環境と、より小規模の（たとえば、宅内）ネットワーク環境の両方で動作することが可能であり得る。言い換えれば、アクセス端末９２０の現在のロケーションに応じて、アクセス端末９２０は、モバイル事業者コアネットワーク９５０に関連付けられたマクロセルアクセスポイント９６０によって、または、フェムトアクセスポイント９１０のセット（たとえば、対応するユーザレジデンス９３０内に常駐するフェムトアクセスポイント９１０Ａおよび９１０Ｂ）のいずれか１つによってサービスされ得る。たとえば、加入者は、自宅の外にいるときは標準のマクロアクセスポイント（たとえば、アクセスポイント９６０）によってサービスされ、自宅の中にいるときはフェムトアクセスポイント（たとえば、アクセスポイント９１０Ａ）によってサービスされる。ここで、フェムトアクセスポイント９１０は、レガシーアクセス端末９２０と後方互換性があり得る。
【０１０３】
フェムトアクセスポイント９１０は、単一の周波数上に展開され得、または代替として、複数の周波数上に展開され得る。特定の構成に応じて、単一の周波数、あるいは複数の周波数のうちの１つまたは複数は、マクロアクセスポイント（たとえば、アクセスポイント９６０）によって使用される１つまたは複数の周波数と重なることがある。
【０１０４】
いくつかの態様では、アクセス端末９２０は、そのような接続性が可能であるときはいつでも、好適なフェムトアクセスポイント（たとえば、アクセス端末９２０のホームフェムトアクセスポイント）に接続するように構成され得る。たとえば、アクセス端末９２０Ａがユーザのレジデンス９３０内にあるときはいつでも、アクセス端末９２０Ａがホームフェムトアクセスポイント９１０Ａまたは９１０Ｂのみと通信することが望ましいことがある。
【０１０５】
いくつかの態様では、アクセス端末９２０がマクロセルラーネットワーク９５０内で動作しているが、（たとえば、好適ローミングリスト中で定義された）その最も好適なネットワーク上に常駐していない場合、アクセス端末９２０は、ベターシステムリセレクション（ＢＳＲ：better system reselection）手順を使用して、最も好適なネットワーク（たとえば、好適なフェムトアクセスポイント９１０）を探索し続け得、ベターシステムリセレクションでは、より良好なシステムが現在利用可能であるかどうかを判断するために利用可能なシステムの周期的スキャニングを行い、その後、そのような好適なシステムを捕捉し得る。アクセス端末９２０は、特定の帯域およびチャネルの探索を制限し得る。たとえば、１つまたは複数のフェムトチャネルが定義され得、それにより、領域中のすべてのフェムトアクセスポイント（またはすべての制限付きフェムトアクセスポイント）は（１つまたは複数の）フェムトチャネル上で動作する。最も好適なシステムの探索が周期的に繰り返され得る。好適なフェムトアクセスポイント９１０が発見されると、アクセス端末９２０は、そのカバレージエリア内にあるときに使用するために、フェムトアクセスポイント９１０を選択し、それに登録する。
【０１０６】
フェムトアクセスポイントへのアクセスは、いくつかの態様では、制限されることがある。たとえば、所与のフェムトアクセスポイントは、いくつかのサービスをいくつかのアクセス端末のみに提供し得る。いわゆる制限付き（または限定）アクセスを用いた展開では、所与のアクセス端末は、マクロセルモバイルネットワークと、フェムトアクセスポイントの定義されたセット（たとえば、対応するユーザレジデンス９３０内に常駐するフェムトアクセスポイント９１０）とによってのみサービスされ得る。いくつかの実装形態では、アクセスポイントは、少なくとも１つのノード（たとえば、アクセス端末）にシグナリング、データアクセス、登録、ページング、またはサービスのうちの少なくとも１つを提供しないように制限され得る。
【０１０７】
いくつかの態様では、（限定加入者グループホームノードＢと呼ばれることもある）制限付きフェムトアクセスポイントは、制限されたプロビジョニングされたアクセス端末のセットにサービスを提供するフェムトアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０１０８】
したがって、所与のフェムトアクセスポイントと所与のアクセス端末との間には様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるサービスレベルを提供される（たとえば、あるアクセス端末では、部分的なアクセスおよび／または一時的アクセスが許可され得るが、他のアクセス端末ではフルアクセスが許可され得る）フェムトアクセスポイントを指すことがある。エイリアンフェムトアクセスポイントは、おそらく非常事態（たとえば、９１１番）を除いて、アクセス端末がアクセスし、またはその上で動作することを許可されないフェムトアクセスポイントを指すことがある。
【０１０９】
制限付きフェムトアクセスポイントの観点から、ホームアクセス端末は、そのアクセス端末の所有者のレジデンス中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。エイリアンアクセス端末は、たとえば、おそらく９１１番などの非常事態を除いて、制限付きフェムトアクセスポイントにアクセスする許可を有していないアクセス端末（たとえば、制限付きフェムトアクセスポイントに登録する証明書または許可を有していないアクセス端末）を指すことがある。
【０１１０】
便宜上、本明細書の開示では、フェムトアクセスポイントの文脈で様々な機能について説明する。ただし、ピコアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る、などである。
【０１１１】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【０１１２】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【０１１３】
ＭＩＭＯシステムは時分割複信（ＴＤＤ）および周波数分割複信（ＦＤＤ）をサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１１４】
図１１に、例示的なＭＩＭＯシステム１１００のワイヤレスデバイス１１１０（たとえば、アクセスポイント）およびワイヤレスデバイス１１５０（たとえば、アクセス端末）を示す。デバイス１１１０では、いくつかのデータストリームのトラフィックデータが、データソース１１１２から送信（ＴＸ）データプロセッサ１１１４に供給される。各データストリームは、次いで、それぞれの送信アンテナを介して送信され得る。
【０１１５】
ＴＸデータプロセッサ１１１４は、コード化データを与えるために、各データストリームのトラフィックデータを、そのデータストリーム用に選択された特定のコーディング方式に基づいてフォーマットし、コーディングし、インターリーブする。各データストリームのコード化データは、ＯＦＤＭ技法を使用してパイロットデータで多重化され得る。パイロットデータは、典型的には、知られている方法で処理される知られているデータパターンであり、チャネル応答を推定するために受信機システムにおいて使用され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１１３０によって実行される命令によって判断され得る。データメモリ１１３２は、プロセッサ１１３０またはデバイス１１１０の他の構成要素によって使用されるプログラムコード、データ、および他の情報を記憶し得る。
【０１１６】
次いで、すべてのデータストリームの変調シンボルがＴＸ  ＭＩＭＯプロセッサ１１２０に供給され、ＴＸ  ＭＩＭＯプロセッサ１１２０はさらに（たとえば、ＯＦＤＭ用に）その変調シンボルを処理し得る。ＴＸ  ＭＩＭＯプロセッサ１１２０は、次いで、ＮT個の変調シンボルストリームを、ＮT個のトランシーバ（ＸＣＶＲ）１１２２Ａ〜１１２２Ｔに供給する。いくつかの態様では、ＴＸ  ＭＩＭＯプロセッサ１１２０は、データストリームのシンボルと、シンボルの送信元のアンテナとにビームフォーミング重みを付加する。
【０１１７】
各トランシーバ１１２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１１２２Ａ〜１１２２ＴからのＮT個の変調信号は、それぞれＮT個のアンテナ１１２４Ａ〜１１２４Ｔから送信される。
【０１１８】
デバイス１１５０では、送信された変調信号はＮR個のアンテナ１１５２Ａ〜１１５２Ｒによって受信され、各アンテナ１１５２からの受信信号は、それぞれのトランシーバ（ＸＣＶＲ）１１５４Ａ〜１１５４Ｒに供給される。各トランシーバ１１５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１１９】
次いで、受信（ＲＸ）データプロセッサ１１６０は、特定の受信機処理技法に基づいてＮR個のトランシーバ１１５４からＮR個の受信シンボルストリームを受信し、処理して、ＮT個の「検出」シンボルストリームを与える。次いで、ＲＸデータプロセッサ１１６０は、各検出シンボルストリームを復調し、デインターリーブし、復号して、データストリームのトラフィックデータを復元する。ＲＸデータプロセッサ１１６０による処理は、デバイス１１１０におけるＴＸ  ＭＩＭＯプロセッサ１１２０およびＴＸデータプロセッサ１１１４によって実行される処理を補足するものである。
【０１２０】
プロセッサ１１７０は、どのプリコーディング行列を使用すべきかを周期的に判断する（後述）。プロセッサ１１７０は、行列インデックス部分とランク値部分とを備える逆方向リンクメッセージを作成する。データメモリ１１７２は、プロセッサ１１７０またはデバイス１１５０の他の構成要素によって使用されるプログラムコード、データ、および他の情報を記憶し得る。
【０１２１】
逆方向リンクメッセージは、通信リンクおよび／または受信データストリームに関する様々なタイプの情報を備え得る。次いで、逆方向リンクメッセージは、データソース１１３６からいくつかのデータストリームのトラフィックデータをも受信するＴＸデータプロセッサ１１３８によって処理され、変調器１１８０によって変調され、トランシーバ１１５４Ａ〜１１５４Ｒによって調整され、デバイス１１１０に戻される。
【０１２２】
デバイス１１１０では、デバイス１１５０からの変調信号は、アンテナ１１２４によって受信され、トランシーバ１１２２によって調整され、復調器（ＤＥＭＯＤ）１１４０によって復調され、ＲＸデータプロセッサ１１４２によって処理されて、デバイス１１５０によって送信された逆方向リンクメッセージが抽出される。次いで、プロセッサ１１３０は、ビームフォーミング重みを判断するためにどのプリコーディング行列を使用すべきかを判断し、次いで、抽出されたメッセージを処理する。
【０１２３】
図１１はまた、通信構成要素が、本明細書で教示するハンドオーバ制御動作を実行する１つまたは複数の構成要素を含み得ることを示す。たとえば、ハンドオーバ制御構成要素１１９０は、プロセッサ１１３０および／またはデバイス１１１０の他の構成要素と協働して、別のデバイス（たとえば、デバイス１１５０）のハンドオーバを可能にし得る。同様に、ハンドオーバ制御構成要素１１９２は、プロセッサ１１７０および／またはデバイス１１５０の他の構成要素と協働して、別のデバイス（図示せず）へのデバイス１１５０のハンドオーバを可能にし得る。各デバイス１１１０および１１５０について、説明する構成要素のうちの２つ以上の機能が単一の構成要素によって提供され得ることを諒解されたい。たとえば、単一の処理構成要素がハンドオーバ制御構成要素１１９０およびプロセッサ１１３０の機能を提供し得、また、単一の処理構成要素がハンドオーバ制御構成要素１１９２およびプロセッサ１１７０の機能を提供し得る。
【０１２４】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、マルチキャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１２５】
いくつかの実装形態では、本明細書の教示は、３ＧＰＰ  Ｒｅｌｅａｓｅ  ９規格に基づくシステムにおいて採用され得る。そのようなシステムでは、以下の用語および定義が概して使用される。限定加入者グループは、ＰＬＭＮのセルのうち、制限付きアクセスを有する１つまたは複数のセル（ＣＳＧセル）にアクセスすることを許可された、事業者の加入者を識別する。ＣＳＧセルは、ＴＲＵＥに設定されたＣＳＧインジケータと特定のＣＳＧ識別情報とをブロードキャストする、ＰＬＭＮの一部であるセルである。ＣＳＧセルは、そのＣＳＧ識別情報に対する限定加入者グループのメンバーがアクセス可能である。ＣＳＧ識別情報（ＣＳＧ  ＩＤ）は、関連する限定加入者グループの許可されたメンバーのアクセスを可能にするために、（１つまたは複数の）ＣＳＧ／ハイブリッドセルによってブロードキャストされ、ＵＥによって使用される、識別子である。ホームノードＢは、ブロードバンドＩＰバックホールを使用してＵＴＲＡＮワイヤレスエアインターフェースを介して３ＧＰＰ  ＵＥをモバイル事業者のネットワークに接続する顧客構内機器（customer premise equipment）である。非ＣＳＧセルは、ＣＳＧセルでないセル、たとえば、マクロセルである。ＰＳＣは、各セルに固有であり得るスクランブリングコードである。最も強いセルは、レイヤ１セル探索手順に従って最も強いと見なされた、特定のキャリア上のセルである。レイヤ１セル探索の詳細は実装形態に依存するので、「最も強いセル」の厳密な定義も実装形態に依存する。
【０１２６】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【０１２７】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込まれ得る。
【０１２８】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームノードＢ（ＨＮＢ）、ホームｅノードＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【０１２９】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなど、ワイドエリアネットワーク）のための、またはネットワークへの接続性を与え得る。したがって、アクセスノードは、別のノード（たとえば、アクセス端末）がネットワークまたは何らかの他の機能にアクセスできるようにし得る。さらに、一方または両方のノードはポータブルでも、場合によっては比較的非ポータブルでもよいことを諒解されたい。
【０１３０】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電気的または光学的インターフェース構成要素）を含み得る。
【０１３１】
ワイヤレスノードは、好適なワイヤレス通信技術に基づくあるいは好適なワイヤレス通信技術をサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートあるいは使用し得る。同様に、ワイヤレスノードは、様々な対応する変調方式または多重化方式のうちの１つまたは複数をサポートあるいは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る関連する送信機構成要素および受信機構成要素をもつワイヤレストランシーバを備え得る。
【０１３２】
限定ではなく例として、本明細書の教示はＵＭＴＳシステムにおいて実装され得る。図１２に、Ｗ−ＣＤＭＡエアインターフェースを採用するＵＭＴＳシステム１２００の一例を示す。ＵＭＴＳネットワークは、コアネットワーク（ＣＮ）１２０４、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）１２０２、およびユーザ機器（ＵＥ）１２１０という３つの対話ドメインを含む。この例では、ＵＴＲＡＮ１２０２は、電話、ビデオ、データ、メッセージング、ブロードキャストを含む様々なワイヤレスサービス、および／または他のサービスを提供する。ＵＴＲＡＮ１２０２は、無線ネットワークコントローラ（ＲＮＣ）１２０６などのそれぞれのＲＮＣによって各々が制御されるサービング無線ネットワークサブシステム（ＳＲＮＳ）１２０７などの複数のＳＲＮＳを含み得る。ここで、ＵＴＲＡＮ１２０２は、本明細書に示すＲＮＣ１２０６およびＳＲＮＳ１２０７に加えて、任意の数のＲＮＣ１２０６およびＳＲＮＳ１２０７を含み得る。ＲＮＣ１２０６は、特に、所与のＳＲＮＳ１２０７内で無線リソースを割り当て、再構成し、解放することを担当する装置である。ＲＮＣ１２０６は、任意の好適なトランスポートネットワークを使用して、直接物理接続、仮想ネットワークなど、様々なタイプのインターフェースを通してＵＴＲＡＮ１２０２中の他のＲＮＣ（図示せず）と相互接続され得る。
【０１３３】
ＵＥ１２１０とノードＢ１２０８との間の通信は、物理（ＰＨＹ）レイヤと媒体アクセス制御（ＭＡＣ）レイヤとを含むものと見なされ得る。さらに、それぞれのノードＢ１２０８を介したＵＥ１２１０とＲＮＣ１２０６との間の通信は、無線リソース制御（ＲＲＣ）レイヤを含むものと見なされ得る。本明細書では、ＰＨＹレイヤはレイヤ１と見なされ得、ＭＡＣレイヤはレイヤ２と見なされ得、ＲＲＣレイヤはレイヤ３と見なされ得る。本明細書の情報では、参照により本明細書に組み込まれるＲａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ、３ＧＰＰ  ＴＳ２５．３３１  ｖ９．１．０において紹介されている用語を利用する。
【０１３４】
所与のＳＲＮＳ１２０７によってカバーされる地理的領域はいくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ）、送受信基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の好適な用語でも呼ばれることがある。明快のために、各ＳＲＮＳ１２０７中に３つのノードＢ１２０８が示されているが、ＳＲＮＳ１２０７は任意の数のワイヤレスノードＢを含み得る。ノードＢ１２０８は、任意の数のモバイル装置にコアネットワーク（ＣＮ）１２０４へのワイヤレスアクセスポイントを与える。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。モバイル装置は、ＵＭＴＳ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれることがある。ＵＭＴＳシステムでは、ＵＥ１２１０は、ネットワークへのユーザの加入情報を含んでいる汎用加入者識別モジュール（ＵＳＩＭ）１２１１をさらに含み得る。説明のために、いくつかのノードＢ１２０８と通信している１つのＵＥ１２１０が示されている。順方向リンクとも呼ばれるダウンリンク（ＤＬ）はノードＢ１２０８からＵＥ１２１０への通信リンクを指し、逆方向リンクとも呼ばれるアップリンク（ＵＬ）はＵＥ１２１０からノードＢ１２０８への通信リンクを指す。
【０１３５】
コアネットワーク１２０４は、ＵＴＲＡＮ１２０２などの１つまたは複数のアクセスネットワークとインターフェースする。図示のように、コアネットワーク１２０４はＧＳＭコアネットワークである。ただし、当業者なら認識するように、本開示全体にわたって提示する様々な概念は、ＧＳＭネットワーク以外のタイプのコアネットワークへのアクセスをＵＥに与えるために、ＲＡＮ、または他の好適なアクセスネットワークにおいて実装され得る。
【０１３６】
コアネットワーク１２０４は回線交換（ＣＳ）ドメインとパケット交換（ＰＳ）ドメインとを含む。回線交換要素は、モバイルサービス交換センター（ＭＳＣ）、ビジターロケーションレジスタ（ＶＬＲ）およびゲートウェイＭＳＣを含む。パケット交換要素は、サービングＧＰＲＳサポートノード（ＳＧＳＮ）およびゲートウェイＧＰＲＳサポートノード（ＧＧＳＮ）を含む。ＥＩＲ、ＨＬＲ、ＶＬＲおよびＡｕＣのような、いくつかのネットワーク要素は、回線交換ドメインとパケット交換ドメインの両方によって共有され得る。図示の例では、コアネットワーク１２０４は、ＭＳＣ１２１２およびＧＭＳＣ１２１４とともに回線交換サービスをサポートする。いくつかの適用例では、ＧＭＳＣ１２１４はメディアゲートウェイ（ＭＧＷ）と呼ばれることがある。ＲＮＣ１２０６などの１つまたは複数のＲＮＣはＭＳＣ１２１２に接続され得る。ＭＳＣ１２１２は、呼設定、呼ルーティング、およびＵＥモビリティ機能を制御する装置である。ＭＳＣ１２１２はまた、ＵＥがＭＳＣ１２１２のカバレージエリア中にある持続時間の間の加入者関係情報を含んでいるビジターロケーションレジスタ（ＶＬＲ）を含む。ＧＭＳＣ１２１４は、ＵＥが回線交換ネットワーク１２１６にアクセスするために、ＭＳＣ１２１２を介したゲートウェイを与える。ＧＭＳＣ１２１４は、特定のユーザが加入したサービスの詳細を反映するデータなどの加入者データを含んでいるホームロケーションレジスタ（ＨＬＲ）１２１５を含む。また、ＨＬＲは、加入者固有の認証データを含んでいる認証センター（ＡｕＣ）に関連付けられる。特定のＵＥのための呼が受信されると、ＧＭＳＣ１２１４は、ＨＬＲ１２１５に問い合わせてＵＥのロケーションを判断し、そのロケーションをサービスする特定のＭＳＣに呼をフォワーディングする。
【０１３７】
コアネットワーク１２０４は、サービングＧＰＲＳサポートノード（ＳＧＳＮ）１２１８およびゲートウェイＧＰＲＳサポートノード（ＧＧＳＮ）１２２０とともにパケットデータサービスをもサポートする。Ｇｅｎｅｒａｌ  Ｐａｃｋｅｔ  Ｒａｄｉｏ  Ｓｅｒｖｉｃｅを表すＧＰＲＳは、標準のＧＳＭ回線交換データサービスで利用可能な速度よりも高い速度でパケットデータサービスを提供するように設計されている。ＧＧＳＮ１２２０は、ＲＡＮ１２０２に対する接続をパケットベースネットワーク１２２２に与える。パケットベースネットワーク１２２２は、インターネット、プライベートデータネットワーク、または何らかの他の好適なパケットベースネットワークであり得る。ＧＧＳＮ１２２０の主要機能は、ＵＥ１２１０にパケットベースネットワーク接続性を与えることである。データパケットはＳＧＳＮ１２１８を通ってＧＧＳＮ１２２０とＵＥ１２１０との間で転送され、ＳＧＳＮ１２１８は、主に、ＭＳＣ１２１２が回線交換ドメインで実行するのと同じ機能をパケットベースドメインで実行する。
【０１３８】
ＵＭＴＳエアインターフェースはスペクトラム拡散直接シーケンス符号分割多元接続（ＤＳ−ＣＤＭＡ）システムである。スペクトラム拡散ＤＳ−ＣＤＭＡは、チップと呼ばれる擬似ランダムビットのシーケンスによる乗算によって、ユーザデータをはるかに広い帯域幅にわたって拡散する。Ｗ−ＣＤＭＡエアインターフェースは、そのような直接シーケンススペクトラム拡散技術に基づいており、さらに周波数分割複信（ＦＤＤ）を必要とする。ＦＤＤは、ノードＢ１２０８とＵＥ１２１０との間のアップリンク（ＵＬ）およびダウンリンク（ＤＬ）に対して異なるキャリア周波数を使用する。
【０１３９】
（たとえば、添付の図の１つまたは複数に関して）本明細書で説明する機能は、いくつかの態様では、添付の特許請求の範囲において同様に指定された「手段」機能に対応し得る。図１３を参照すると、装置１３００が一連の相互に関係する機能モジュールとして表されている。ここで、信号を受信するためのモジュール１３０２は、少なくともいくつかの態様では、たとえば、本明細書で説明する受信機に対応し得る。ＶＡＳを維持するためのモジュール１３０４は、少なくともいくつかの態様では、たとえば、本明細書で説明するコントローラに対応し得る。メッセージを受信するためのモジュール１３０６は、少なくともいくつかの態様では、たとえば、本明細書で説明する受信機に対応し得る。複数のセルを識別するためのモジュール１３０８は、少なくともいくつかの態様では、たとえば、本明細書で説明するコントローラに対応し得る。ベストセルを識別するためのモジュール１３１０は、少なくともいくつかの態様では、たとえば、本明細書で説明するコントローラに対応し得る。識別されたベストセルをＶＡＳ中に含めるためのモジュール１３１２は、少なくともいくつかの態様では、たとえば、本明細書で説明するコントローラに対応し得る。他の信号を受信するためのモジュール１３１４は、少なくともいくつかの態様では、たとえば、本明細書で説明する受信機に対応し得る。他のＶＡＳを維持するためのモジュール１３１６は、少なくともいくつかの態様では、たとえば、本明細書で説明するコントローラに対応し得る。周波数品質推定値を計算するためのモジュール１３１８は、少なくともいくつかの態様では、たとえば、本明細書で説明するコントローラに対応し得る。定義された値に重みパラメータを設定するためのモジュール１３２０は、少なくともいくつかの態様では、たとえば、本明細書で説明するコントローラに対応し得る。ベストセルを選択するためのモジュール１３２２は、少なくともいくつかの態様では、たとえば、本明細書で説明するコントローラに対応し得る。ベストセルを変更するためのモジュール１３２４は、少なくともいくつかの態様では、たとえば、本明細書で説明するコントローラに対応し得る。トリガ時間パラメータをリセットするためのモジュール１３２６は、少なくともいくつかの態様では、たとえば、本明細書で説明するコントローラに対応し得る。
【０１４０】
図１３のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示するように何らかの他の方法で実装され得る。いくつかの態様では、図１３中の破線ブロックのうちの１つまたは複数は随意である。
【０１４１】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」という形式の用語は、「ＡまたはＢまたはＣ、あるいはこれらの要素の任意の組合せ」を意味する。
【０１４２】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４３】
さらに、本明細書で開示する態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１４４】
本明細書で開示する態様に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４５】
開示するプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１４６】
１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。コンピュータ可読媒体は任意の好適なコンピュータプログラム製品に実装され得ることを諒解されたい。
【０１４７】
開示する態様の前述の説明は、当業者が本開示を実施または使用できるように与えたものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示する原理および新規の特徴に一致する最も広い範囲を与えられるべきである。
なお、以下に、出願当初の特許請求の範囲に記載された発明を付記する。
［Ｃ１］
アクセス端末において指定された周波数上で信号を受信することと、
前記受信した信号に基づいて、ＣＥＬＬ＿ＩＮＦＯ＿ＣＳＧ＿ＬＩＳＴ中に存在するセルのみを含む仮想アクティブセットを維持することとを備える、通信の方法。
［Ｃ２］
前記ＣＥＬＬ＿ＩＮＦＯ＿ＣＳＧ＿ＬＩＳＴ中に存在する前記セルが、限定加入者グループセルと、ハイブリッドセルと、オープンホームノードＢとからなるグループのうちの少なくとも１つを備える、Ｃ１に記載の方法。
［Ｃ３］
前記ＣＥＬＬ＿ＩＮＦＯ＿ＣＳＧ＿ＬＩＳＴを構成するためのメッセージを受信することをさらに備え、前記メッセージは、どのセルが前記仮想アクティブセット中に含まれることを許されているかを指定する、Ｃ１に記載の方法。
［Ｃ４］
前記仮想アクティブセットが、１セルのサイズを有するようにあらかじめ定義されている、Ｃ１に記載の方法。
［Ｃ５］
前記受信した信号がそこから発生した複数のセルを識別することと、
定義された測定基準に基づいて前記複数のセルからベストセルを識別することと、
前記識別されたベストセルを前記仮想アクティブセット中に含めることとをさらに備える、Ｃ４に記載の方法。
［Ｃ６］
前記定義された測定基準が、３ＧＰＰイベント１ａのために指定された測定基準を備える、Ｃ５に記載の方法。
［Ｃ７］
前記指定された周波数上で他の信号を受信することと、
前記受信した他の信号に基づいて少なくとも１つの他のセルのための他の仮想アクティブセットを維持することであって、前記他の仮想アクティブセットが、ＣＥＬＬ＿ＩＮＦＯ＿ＬＩＳＴ中に存在するセルのみを含む、維持することとをさらに備える、Ｃ１に記載の方法。
［Ｃ８］
前記仮想アクティブセットのベストセルのみに基づいて周波数間イベント報告のための周波数品質推定値を計算することをさらに備える、Ｃ１に記載の方法。
［Ｃ９］
周波数間イベント報告のためにセル測定に重み付けを適用するための重みパラメータが定義され、前記方法は、前記仮想アクティブセット中に存在するただ１つのセルが前記周波数間イベント報告のために使用されるように定義された値に前記重みパラメータを設定することをさらに備える、Ｃ１に記載の方法。
［Ｃ１０］
前記定義された値が０の値を備える、Ｃ９に記載の方法。
［Ｃ１１］
前記仮想アクティブセットが複数のセルを含み、前記方法が、
前記複数のセルのうちの第１のセルを前記仮想アクティブセットのベストセルとして選択することと、
前記第１のセルの代わりに前記複数のセルのうちの第２のセルを選択することによって前記仮想アクティブセットの前記ベストセルを変更することと、
前記ベストセルの前記変更に基づいて前記周波数間イベント報告のためのトリガ時間パラメータをリセットすることとをさらに備える、Ｃ９に記載の方法。
［Ｃ１２］
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、Ｃ９に記載の方法。
［Ｃ１３］
前記定義された量が３ＧＰＰイベント１ｃのためのヒステリシスパラメータを備え、
前記定義された時間期間が３ＧＰＰイベント１ｃのためのトリガ時間パラメータを備える、Ｃ１２に記載の方法。
［Ｃ１４］
周波数間イベント報告のためにセル測定に重み付けを適用するための重みパラメータが定義され、前記方法は、前記仮想アクティブセット中に存在する２つ以上のセルが前記周波数間イベント報告のために使用されるように定義された値に前記重みパラメータを設定することをさらに備える、Ｃ１に記載の方法。
［Ｃ１５］
前記定義された値が０でない値を備える、Ｃ１４に記載の方法。
［Ｃ１６］
前記重みパラメータが、ソフトハンドオーバ動作をサポートするために前記定義された値に設定される、Ｃ１４に記載の方法。
［Ｃ１７］
指定された周波数上で信号を受信するように動作可能な受信機と、
前記受信した信号に基づいて、ＣＥＬＬ＿ＩＮＦＯ＿ＣＳＧ＿ＬＩＳＴ中に存在するセルのみを含む仮想アクティブセットを維持するように動作可能なコントローラとを備える、通信のための装置。
［Ｃ１８］
前記ＣＥＬＬ＿ＩＮＦＯ＿ＣＳＧ＿ＬＩＳＴ中に存在する前記セルが、限定加入者グループセルと、ハイブリッドセルと、オープンホームノードＢとからなるグループのうちの少なくとも１つを備える、Ｃ１７に記載の装置。
［Ｃ１９］
前記受信機が、前記ＣＥＬＬ＿ＩＮＦＯ＿ＣＳＧ＿ＬＩＳＴを構成するためのメッセージを受信するようにさらに動作可能であり、前記メッセージは、どのセルが前記仮想アクティブセット中に含まれることを許されているかを指定する、Ｃ１７に記載の装置。
［Ｃ２０］
前記仮想アクティブセットが、１セルのサイズを有するようにあらかじめ定義されている、Ｃ１７に記載の装置。
［Ｃ２１］
前記コントローラが、
前記受信した信号がそこから発生した複数のセルを識別することと、
定義された測定基準に基づいて前記複数のセルからベストセルを識別することと、
前記識別されたベストセルを前記仮想アクティブセット中に含めることとを行うようにさらに動作可能である、Ｃ２０に記載の装置。
［Ｃ２２］
前記定義された測定基準が、３ＧＰＰイベント１ａのために指定された測定基準を備える、Ｃ２１に記載の装置。
［Ｃ２３］
前記受信機が、前記指定された周波数上で他の信号を受信するようにさらに動作可能であり、
前記コントローラが、前記受信した他の信号に基づいて少なくとも１つの他のセルのための他の仮想アクティブセットを維持するようにさらに動作可能であり、
前記他の仮想アクティブセットが、ＣＥＬＬ＿ＩＮＦＯ＿ＬＩＳＴ中に存在するセルのみを含む、Ｃ１７に記載の装置。
［Ｃ２４］
前記コントローラが、前記仮想アクティブセットのベストセルのみに基づいて周波数間イベント報告のための周波数品質推定値を計算するようにさらに動作可能である、Ｃ１７に記載の装置。
［Ｃ２５］
周波数間イベント報告のためにセル測定に重み付けを適用するための重みパラメータが定義され、
前記コントローラは、前記仮想アクティブセット中に存在するただ１つのセルが前記周波数間イベント報告のために使用されるように定義された値に前記重みパラメータを設定するようにさらに動作可能である、Ｃ１７に記載の装置。
［Ｃ２６］
前記定義された値が０の値を備える、Ｃ２５に記載の装置。
［Ｃ２７］
前記仮想アクティブセットが複数のセルを含み、前記コントローラが、
前記複数のセルのうちの第１のセルを前記仮想アクティブセットのベストセルとして選択することと、
前記第１のセルの代わりに前記複数のセルのうちの第２のセルを選択することによって前記仮想アクティブセットの前記ベストセルを変更することと、
前記ベストセルの前記変更に基づいて前記周波数間イベント報告のためのトリガ時間パラメータをリセットすることとを行うようにさらに動作可能である、Ｃ２５に記載の装置。
［Ｃ２８］
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、Ｃ２５に記載の装置。
［Ｃ２９］
前記定義された量が３ＧＰＰイベント１ｃのためのヒステリシスパラメータを備え、
前記定義された時間期間が３ＧＰＰイベント１ｃのためのトリガ時間パラメータを備える、Ｃ２８に記載の装置。
［Ｃ３０］
周波数間イベント報告のためにセル測定に重み付けを適用するための重みパラメータが定義され、
前記コントローラは、前記仮想アクティブセット中に存在する２つ以上のセルが前記周波数間イベント報告のために使用されるように定義された値に前記重みパラメータを設定するようにさらに動作可能である、Ｃ１７に記載の装置。
［Ｃ３１］
前記定義された値が０でない値を備える、Ｃ３０に記載の装置。
［Ｃ３２］
前記重みパラメータが、ソフトハンドオーバ動作をサポートするために前記定義された値に設定される、Ｃ３０に記載の装置。
［Ｃ３３］
指定された周波数上で信号を受信するための手段と、
前記受信した信号に基づいて、ＣＥＬＬ＿ＩＮＦＯ＿ＣＳＧ＿ＬＩＳＴ中に存在するセルのみを含む仮想アクティブセットを維持するための手段とを備える、通信のための装置。
［Ｃ３４］
前記ＣＥＬＬ＿ＩＮＦＯ＿ＣＳＧ＿ＬＩＳＴ中に存在する前記セルが、限定加入者グループセルと、ハイブリッドセルと、オープンホームノードＢとからなるグループのうちの少なくとも１つを備える、Ｃ３３に記載の装置。
［Ｃ３５］
前記ＣＥＬＬ＿ＩＮＦＯ＿ＣＳＧ＿ＬＩＳＴを構成するためのメッセージを受信するための手段をさらに備え、前記メッセージは、どのセルが前記仮想アクティブセット中に含まれることを許されているかを指定する、Ｃ３３に記載の装置。
［Ｃ３６］
前記仮想アクティブセットが、１セルのサイズを有するようにあらかじめ定義されている、Ｃ３３に記載の装置。
［Ｃ３７］
前記受信した信号がそこから発生した複数のセルを識別するための手段と、
定義された測定基準に基づいて前記複数のセルからベストセルを識別するための手段と、
前記識別されたベストセルを前記仮想アクティブセット中に含めるための手段とをさらに備える、Ｃ３６に記載の装置。
［Ｃ３８］
前記定義された測定基準が、３ＧＰＰイベント１ａのために指定された測定基準を備える、Ｃ３７に記載の装置。
［Ｃ３９］
周波数間イベント報告のためにセル測定に重み付けを適用するための重みパラメータが定義され、前記装置は、前記仮想アクティブセット中に存在するただ１つのセルが前記周波数間イベント報告のために使用されるように定義された値に前記重みパラメータを設定するための手段をさらに備える、Ｃ３３に記載の装置。
［Ｃ４０］
前記定義された値が０の値を備える、Ｃ３９に記載の装置。
［Ｃ４１］
前記仮想アクティブセットが複数のセルを含み、前記装置が、
前記複数のセルのうちの第１のセルを前記仮想アクティブセットのベストセルとして選択するための手段と、
前記第１のセルの代わりに前記複数のセルのうちの第２のセルを選択することによって前記仮想アクティブセットの前記ベストセルを変更するための手段と、
前記ベストセルの前記変更に基づいて前記周波数間イベント報告のためのトリガ時間パラメータをリセットするための手段とをさらに備える、Ｃ３９に記載の装置。
［Ｃ４２］
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、Ｃ３９に記載の装置。
［Ｃ４３］
前記定義された量が３ＧＰＰイベント１ｃのためのヒステリシスパラメータを備え、
前記定義された時間期間が３ＧＰＰイベント１ｃのためのトリガ時間パラメータを備える、Ｃ４２に記載の装置。
［Ｃ４４］
アクセス端末において指定された周波数上で信号を受信することと、
前記受信した信号に基づいて、ＣＥＬＬ＿ＩＮＦＯ＿ＣＳＧ＿ＬＩＳＴ中に存在するセルのみを含む仮想アクティブセットを維持することとをコンピュータに行わせるためのコードを備えるコンピュータ可読媒体を備える、コンピュータプログラム製品。
［Ｃ４５］
ＣＥＬＬ＿ＩＮＦＯ＿ＣＳＧ＿ＬＩＳＴ中に存在する前記セルが、限定加入者グループセルと、ハイブリッドセルと、オープンホームノードＢとからなるグループのうちの少なくとも１つを備える、Ｃ４４に記載のコンピュータプログラム製品。
［Ｃ４６］
前記コンピュータ可読媒体が、前記ＣＥＬＬ＿ＩＮＦＯ＿ＣＳＧ＿ＬＩＳＴを構成するためのメッセージを受信することを前記コンピュータに行わせるためのコードをさらに備え、前記メッセージは、どのセルが前記仮想アクティブセット中に含まれることを許されているかを指定する、Ｃ４４に記載のコンピュータプログラム製品。
［Ｃ４７］
前記仮想アクティブセットが、１セルのサイズを有するようにあらかじめ定義されている、Ｃ４４に記載のコンピュータプログラム製品。
［Ｃ４８］
前記コンピュータ可読媒体は、
前記受信した信号がそこから発生した複数のセルを識別することと、
定義された測定基準に基づいて前記複数のセルからベストセルを識別することと、
前記識別されたベストセルを前記仮想アクティブセット中に含めることとを前記コンピュータに行わせるためのコードをさらに備える、Ｃ４７に記載のコンピュータプログラム製品。
［Ｃ４９］
前記定義された測定基準が、３ＧＰＰイベント１ａのために指定された測定基準を備える、Ｃ４８に記載のコンピュータプログラム製品。
［Ｃ５０］
周波数間イベント報告のためにセル測定に重み付けを適用するための重みパラメータが定義され、
前記コンピュータ可読媒体は、前記仮想アクティブセット中に存在するただ１つのセルが前記周波数間イベント報告のために使用されるように定義された値に前記重みパラメータを設定することを前記コンピュータに行わせるためのコードをさらに備える、Ｃ４４に記載のコンピュータプログラム製品。
［Ｃ５１］
前記定義された値が０の値を備える、Ｃ５０に記載のコンピュータプログラム製品。
［Ｃ５２］
前記仮想アクティブセットが複数のセルを含み、前記コンピュータ可読媒体が、
前記複数のセルのうちの第１のセルを前記仮想アクティブセットのベストセルとして選択することと、
前記第１のセルの代わりに前記複数のセルのうちの第２のセルを選択することによって前記仮想アクティブセットの前記ベストセルを変更することと、
前記ベストセルの前記変更に基づいて前記周波数間イベント報告のためのトリガ時間パラメータをリセットすることとを前記コンピュータに行わせるためのコードをさらに備える、Ｃ５０に記載のコンピュータプログラム製品。
［Ｃ５３］
前記ベストセルの前記変更は、前記第２のセルに関連する測定された品質が、少なくとも定義された時間期間の間に少なくとも定義された量だけ前記第１のセルに関連する測定された品質を超えるかどうかを判断することを備える、Ｃ５０に記載のコンピュータプログラム製品。
［Ｃ５４］
前記定義された量が３ＧＰＰイベント１ｃのためのヒステリシスパラメータを備え、
前記定義された時間期間が３ＧＰＰイベント１ｃのためのトリガ時間パラメータを備える、Ｃ５３に記載のコンピュータプログラム製品。
【図１】
0005607232.tif 000003
【図２】
0005607232.tif 000004
【図３】
0005607232.tif 000005
【図４】
0005607232.tif 000006
【図５】
0005607232.tif 000007
【図６】
0005607232.tif 000008
【図７】
0005607232.tif 000009
【図８】
0005607232.tif 000010
【図９】
0005607232.tif 000011
【図１０】
0005607232.tif 000012
【図１１】
0005607232.tif 000013
【図１２】
0005607232.tif 000014
【図１３】
0005607232.tif 000015